(57)【要約】【課題】遊技盤におけるシート発光部位の配置自由度を高めることのできる遊技機を提供する。【解決手段】パチンコ機１０においては、表面に絵柄が付与されたシート材及び合板よりなるベース部材を備える遊技盤が本体枠に搭載されている。遊技盤の前面側には遊技領域が設けられており、遊技者により遊技球発射ハンドル４１が操作されると、遊技球が遊技領域に向けて発射される。ベース部材における遊技領域の後方には、前後に貫通する複数の開口部が形成されており、それら開口部の後方には発光体が配置されている。開口部にはカバー部材が嵌め込まれており、カバー部材の天壁がシート材の背面に接している。発光体から発せられた光は、カバー部材及びシート材を介して遊技機前方に射出される。【選択図】      図１
2015107365.tif 000002
【特許請求の範囲】
【請求項１】
遊技機前方から視認可能な位置に設けられている遊技盤と、
前記遊技盤の前面側に設けられ、遊技球が流れ落ちる遊技領域と
を備え、
前記遊技盤が、板状をなすベース部材、及びそのベース部材の前面に取り付けられて絵柄が印刷されてなるシート材を含んで構成されている遊技機であって、
前記ベース部材に形成され、遊技機の前後方向に開口する開口部と、
前記開口部を介して前記シート材の背面に光を照射する発光手段と、
前記シート材の背面側に設けられているとともに、透明又は半透明な材料で形成され、同シート材における前記発光手段の光の照射範囲を規制する光規制部材と
を備え、
前記光規制部材は、前記開口部を塞ぐ壁部を有し、
前記壁部は、光を通す光透過部及び光を通さない非光透過部を有するとともに、その前面が前記シート材の背面と遊技機の前後方向において同一位置にとなるように構成されており、
前記光規制部材によって規制された光のシート材への照射範囲と、前記シート材における前記開口部の前方に配置された所定の絵柄の描画範囲とが遊技機の正面視において重なっており、前記シート材は、少なくとも前記描画範囲において光透過性を有し、
前記発光手段から発せられた光が、前記壁部及び前記シート材を介して遊技機前方に射出されることを特徴とする遊技機。
【発明の詳細な説明】
【技術分野】
【０００１】
本発明は、遊技機に関するものである。
【背景技術】
【０００２】
遊技機の一種であるパチンコ機には、遊技領域が形成された遊技盤を枠体に搭載してなる遊技機本体と、遊技機本体の前面側に取り付けられた前扉枠とが備えられている。遊技領域には入賞口、入賞装置等の各種遊技機器が設けられている。遊技者により遊技球発射ハンドルが操作されると遊技球が遊技領域に向けて発射され、発射された遊技球が入賞口や入賞装置などに入賞すると、それに伴い所定個数の遊技球が払い出される。
【０００３】
このようなパチンコ機においては、遊技盤の周縁部や遊技盤面上に発光体が設けられていることが多い。例えば遊技状況に応じてこれら発光体が点灯又は点滅することで、遊技演出（発光演出）がなされたり、遊技者やホール管理者等に対して遊技状態の報知がなされたりする。
【０００４】
また、上述した遊技盤の多くは、遊技盤の主体となる合板とその合板の表面に貼り付けられたシート材（いわゆるセルシート）とを備えている。シート材は透明性を有する合成樹脂材料により形成されており、合板と対向する面には所定の絵柄が付与（例えば印刷）されている。それら絵柄によって遊技盤の意匠性の向上が図られている。また、絵柄をシート材の背面に付与することで、遊技球が絵柄に直接接触することに起因して絵柄が剥がれたり摩耗したりするといった不都合を回避可能としている。
【０００５】
近年では、遊技盤の合板に開口部を形成し、それら開口部の内部に発光体を配置する遊技機が提案されている（例えば特許文献１参照）。発光体から発せられた光は開口部を介してシート材の背面に到達し、シート材を通して遊技機前方に射出される。すなわち、シート材が発光する。例えばシート材に付与された絵柄を発光させることにより演出効果の向上が図られている（シート発光）。
【０００６】
従来の遊技機においては、シート材の前面側に発光体を配置し、その発光体を光透過性を有する樹脂カバー等で覆っていた。かかる場合、それら発光体及びカバー部材によって絵柄（意匠）の連続性が阻害されるといった不都合が生じ得た。さらに、発光体等を遊技領域に配置した場合、より広範囲での発光演出が可能となる反面、発光体及び樹脂カバーが遊技領域に張り出すため、遊技球の流下経路に対する制約が強まるといった不都合も生じ得た。一方、上述の如くシート発光を行う場合、発光体がシート材の前方に張り出すことがない。このため、絵柄の連続性を阻害しにくく、意匠性を担保することができる。また、仮に遊技領域にて発光演出を行う構成としても、遊技球の流下経路に対する制約を生じにくくすることができる。
【先行技術文献】
【特許文献】
【０００７】
【特許文献１】特開平２−３９７８３号公報
【発明の概要】
【発明が解決しようとする課題】
【０００８】
しかしながら、上述の如く遊技盤に開口部を設ける構成とした場合、発光体の遊技盤上からの張り出しを回避し得る反面、シート材におけるそれら開口部に対応する部位に、撓み等の変形が生じやすくなると考えられる。例えば、遊技盤の清掃や釘メンテナンス等の際にシート材の開口に対応する部位（以下、シート発光部位という）に負荷が加わることで、シート材が撓んだり破れたりする可能性がある。また、シート発光部位に遊技球が繰り返し当たることでシート材が後方に撓む可能性もある。これらの要因によって、仮にシート材が撓むと、シート材の絵柄の意匠性が損なわれやすくなったり、遊技球の正常な流下が阻害されるといった不都合が生じたりすることが懸念される。このようなシート材の変形に起因する不都合を開口部の位置によって回避し、シート材の意匠性の担保や遊技球の流下経路の担保等を優先した場合、シート発光部位の設置箇所が遊技領域以外の部分で且つ絵柄が付与されていない部分に限定されると考えられる。これにより、シート発光部位の配置自由度の向上が抑制されると懸念される。
【０００９】
本発明は上記事情に鑑みてなされたものであり、遊技盤におけるシート発光部位の配置自由度を高めることのできる遊技機を提供することを目的とする。
【課題を解決するための手段】
【００１０】
本発明は、
遊技機前方から視認可能な位置に設けられている遊技盤と、
前記遊技盤の前面側に設けられ、遊技球が流れ落ちる遊技領域と
を備え、
前記遊技盤が、板状をなすベース部材、及びそのベース部材の前面に取り付けられて絵柄が印刷されてなるシート材を含んで構成されている遊技機であって、
前記ベース部材に形成され、遊技機の前後方向に開口する開口部と、
前記開口部を介して前記シート材の背面に光を照射する発光手段と、
前記シート材の背面側に設けられているとともに、透明又は半透明な材料で形成され、同シート材における前記発光手段の光の照射範囲を規制する光規制部材と
を備え、
前記光規制部材は、前記開口部を塞ぐ壁部を有し、
前記壁部は、光を通す光透過部及び光を通さない非光透過部を有するとともに、その前面が前記シート材の背面と遊技機の前後方向において同一位置にとなるように構成されており、
前記光規制部材によって規制された光のシート材への照射範囲と、前記シート材における前記開口部の前方に配置された所定の絵柄の描画範囲とが遊技機の正面視において重なっており、前記シート材は、少なくとも前記描画範囲において光透過性を有し、
前記発光手段から発せられた光が、前記壁部及び前記シート材を介して遊技機前方に射出されることを特徴とする。
【発明の効果】
【００１１】
本発明によれば、遊技盤におけるシート発光部位の配置自由度を高めることのできる遊技機を提供することが可能となる。
【図面の簡単な説明】
【００１２】
【図１】一実施の形態におけるパチンコ機を示す正面図である。
【図２】パチンコ機の主要な構成を展開して示す斜視図である。
【図３】パチンコ機の主要な構成を展開して示す斜視図である。
【図４】パチンコ機の構成を示す背面図である。
【図５】前扉枠の構成を示す背面図である。
【図６】本体枠の構成を示す正面図である。
【図７】遊技盤の構成を示す正面図である。
【図８】本体枠の構成を示す背面図である。
【図９】遊技盤の背面構成を示す斜視図である。
【図１０】遊技盤から主制御装置ユニットを取り外した状態を示す背面図である。
【図１１】主制御装置ユニットの構成を示す斜視図である。
【図１２】裏パックユニットの構成を示す正面図である。
【図１３】裏パックユニットの分解斜視図である。
【図１４】集合板ユニットを表側から見た斜視図である。
【図１５】集合板ユニットを裏側から見た斜視図である。
【図１６】集合板ユニットを分解して示す分解斜視図である。
【図１７】カバー部材の構成を示す斜視図である。
【図１８】図７のＡ−Ａ線部分端面図である。
【図１９】パチンコ機の電気的構成を示すブロック図である。
【図２０】光透過部材の変形例を示す概略図である。
【図２１】集合板ユニットの別の形態を示す分解斜視図である。
【図２２】図２２のＢ−Ｂ線部分端面図である。
【発明を実施するための形態】
【００１３】
はじめに、本実施の形態から抽出され得る発明を、必要に応じて効果等を示しつつ説明する。
【００１４】
手段１．遊技機前方から視認可能な位置に設けられている遊技盤（遊技盤８０）と、
前記遊技盤の前面側に設けられ、遊技球が流れ落ちる遊技領域と
を備え、
前記遊技盤が、板状をなすベース部材（ベース部材８１）、及びそのベース部材の前面に取り付けられて絵柄が印刷されてなるシート材（シート材１７０）を含んで構成されている遊技機であって、
前記ベース部材に形成され、遊技機の前後方向に開口する開口部（開口部２８３〜２８８）と、
前記シート材の後方に配置され、前記開口部を介して前記シート材の背面に光を照射する発光手段（基板２５１〜２５６や発光体２５９等）と、
前記シート材の背面側に設けられ、光透過性を有する光透過部材（カバー部材２５７，２５８）と
を備え、
前記シート材における前記開口部の前方に位置する部位の少なくとも一部は光透過性を有するとともに、前記光透過部材はその前面側に前記シート材の背面に対向する壁部（天壁２８０等）を有し、
前記光透過部材は、前記壁部が前記シート材に接する状態で配置されていることを特徴とする遊技機。
【００１５】
手段１の遊技機では、発光手段から発せられた光は、開口部及びシート材を介して遊技機前方に射出される。例えば遊技状況に応じて発光手段が点灯又は点滅することで、遊技演出（発光演出）がなされたり、遊技者やホール管理者等に対して遊技状態の報知がなされたりする。以下、発光手段からの光が通過するシート材の所定部位を発光部位と称する。
【００１６】
一般的には、遊技盤面上に複数の役物等を配置し、遊技の多様化や興趣の向上が図られることが多い。かかる場合、遊技盤上の限られた範囲で発光手段や役物等を配置する必要が生じる。ベース部材に開口部を設け、発光手段をシート材の後方に配置することで、遊技盤前方への張り出しを回避することができる。これにより、発光手段の配置自由度を高めるとともに、遊技盤上における各種役物等の配置自由度を高めることができる。
【００１７】
本手段においては特に、シート材の背面側に光透過部材を配置した。より具体的には光透過部材の壁部がシート材の背面に接している。このため、光透過部材（壁部）によってシート材が後方より支えられた状態になっている。仮に、遊技機前方からシート材（詳しくは開口部に対応する部位）に外力が加わっても、その外力を光透過部材によって受け止めることができる。故に、シート材が弾性域を超えて撓むことで塑性変形するといった不都合を抑制することができる。例えば、釘のメンテナンスや遊技領域の清掃の際にシート材に負荷が加わった場合であっても、シート材の変形を抑えることが可能である。故に、作業時に開口部の所在を確認する必要が生じず、作業性の担保が可能となる。仮に、シート材の絵柄の後方に開口部を配置した場合であっても、シート材の変形が抑えられることで、絵柄（すなわち遊技盤の意匠性）を保護することができる。このため、発光部位の配置を選定する際に絵柄との重なりを避ける必要性を抑えることができる。故に、発光部位の配置自由度の向上に貢献することができる。
【００１８】
遊技領域に発光部位（遊技領域の後方に開口部）を配置した場合であっても、シート材の変形が抑制されるため、遊技球が繰り返し当たることで変形が生じるといった不都合を回避できる。すなわち、遊技球の正常な流下を担保することができる。これにより発光部位（開口部）の配置自由度をより一層高めることができる。
【００１９】
上述の如く、発光部位（開口部）の配置に起因するシート材の変形を抑えることができるため、発光部位（開口部）の配置自由度を高めることが可能となる。
【００２０】
なお、「接する状態」とは、シート材と光規制部材の壁部との間に隙間がない状態はもちろん、設計上の設定又は製造上のばらつきによりシート材と壁部との間に若干の隙間が存在するものの、シート材に遊技球が当たった際やシート材の清掃の際等においてシート材が撓むことでシート材と壁部とが当たる状態を含んでいる。
【００２１】
手段２．遊技機前方から視認可能な位置に設けられている遊技盤（遊技盤８０）と、
前記遊技盤の前面側に設けられ、遊技球が流れ落ちる遊技領域と
を備え、
前記遊技盤が、板状をなすベース部材（ベース部材８１）、及びそのベース部材の前面に取り付けられて絵柄が印刷されてなるシート材（シート材１７０）を含んで構成されている遊技機であって、
前記ベース部材に形成され、遊技機の前後方向に開口する開口部（開口部２８３〜２８８）と、
前記シート材の後方に配置され、前記開口部を介して前記シート材の背面に光を照射する発光手段（基板２５１〜２５６や発光体２５９等）と、
前記シート材の背面側に設けられ、光透過性を有する光透過部材（カバー部材２５７，２５８）と
を備え、
前記シート材における前記開口部の前方に位置する部位の少なくとも一部は光透過性を有するとともに、前記光透過部材は前記遊技盤の背面への接触部（ベースプレート２６５，２６６）と前記シート材の背面に対向する壁部（天壁２８０等）とを有し、
前記遊技盤における前記接触部との接触部位から前記シート材の背面までの、前記遊技盤の前面と直交する方向における距離寸法と、前記壁部の前端部から前記接触部までの、前記遊技盤の前面と直交する方向における距離寸法とをほぼ同一としていることを特徴とする遊技機。
【００２２】
手段２の遊技機では、発光手段から発せられた光は、開口部及びシート材を介して遊技機前方に射出される。例えば遊技状況に応じて発光手段が点灯又は点滅することで、遊技演出（発光演出）がなされたり、遊技者やホール管理者等に対して遊技状態の報知がなされたりする。
【００２３】
一般的には、遊技盤面上に複数の役物等を配置し、遊技の多様化や興趣の向上が図られることが多い。かかる場合、遊技盤上の限られた範囲で発光手段や役物等を配置する必要が生じる。ベース部材に開口部を設け、発光手段をシート材の後方に配置することで、遊技盤前方への突出を回避することができる。これにより、発光手段の配置自由度を高めるとともに、遊技盤上における各種役物等の配置自由度を高めることができる。
【００２４】
本手段においては特に、シート材の背面側に光透過部材を配置した。より具体的には、遊技盤の背面に接触部が当たった状態で、壁部とシート材とが接する構成となっている。遊技機前方からシート材（詳しくは開口部に対応する部位）に外力が加わってシート材が撓んだ場合を想定すれば、シート材は光透過部材（壁部）に当たりその変形が抑えられる。故に、シート材が、弾性域を超えて撓むことで塑性変形するといった不都合を抑制することができる。例えば、釘のメンテナンスや遊技領域の清掃の際に、シート材に負荷が生じたとしても変形を抑制できる。故に、作業時に発光部位の所在を確認する必要が生じず、作業性の担保が可能となる。仮に、シート材の絵柄の後方に開口部を配置した場合であっても、シート材の変形が抑えられることで、絵柄（すなわち遊技盤の意匠性）を保護することができる。このため、発光部位の配置を選定する際に絵柄との重なりを避ける必要性を抑えることができる。故に、発光部位の配置自由度の向上に貢献することができる。
【００２５】
遊技領域に発光部位（遊技領域の後方に開口部）を配置した場合であっても、シート材の変形が抑制されるため、遊技球が繰り返し当たることで変形が生じるといった不都合を回避できる。すなわち、遊技球の正常な流下を担保することができる。これにより発光部位（開口部）の配置自由度をより一層高めることができる。
【００２６】
上述の如く、発光部位（開口部）の配置に起因するシート材の変形を抑えることができるため、発光部異（開口部）の配置箇所を自由に設定することが可能となる。
【００２７】
なお、「ほぼ同一」とは、両寸法が完全に一致する場合の他、製造ばらつきや、組み付けばらつき等に起因する距離寸法の差異や予め設定された設計上の寸法差異を許容することを示す。すなわち、シート材に遊技球が当たった際やシート材の清掃の際等においてシート材が撓むことでシート材と壁部とが当たる程度の寸法差異が存在している状態を含むことを示している。
【００２８】
また、「遊技盤の接触部位」は、ベース材に設定された接触部位を示す他、ベース材とベース材以外の別部材との集合体で構成された遊技盤の場合、ベース材に設定された接触部位やそれら別部材に設定された接触部位を示す。すなわち、接触部位は、遊技盤としてユニット化されたベース材以外の別部材に設定してもよいものである。
【００２９】
因みに、シート材における開口部と対応する部分に貫通孔を設け、それら貫通孔から光透過部材の壁部を露出させる（例えばシート材の表面と同一面となるように露出させる）構成も想定し得る。しかしながら、手段１及び手段２においては、シート材に貫通孔等を設けることなく、シート材の背面を光透過部材によって支える構成とした。シート材の発光部位に孔等を設けなくてもよいため、シート材の絵柄の連続性を担保し、意匠性の保護に貢献することができる。また、シート材の縁部（貫通孔等の開口縁等）が露出しにくいため、それら縁部に埃等が付着したり、縁部を起点として捲れ（剥がれ）が生じたりするといった不都合を回避することも可能である。
【００３０】
手段３．前記光透過部材が前記ベース部材の背面と接触する接触部（ベースプレート２６５，２６６の前面）を有し、それらベース部材の背面と接触部とが接触した状態で、前記壁部が前記シート材に接することを特徴とする手段１に記載の遊技機。
【００３１】
光透過部材とシート材とが接する構成とすることで、シート材の保護に貢献することができる。しかしながらその反面、光透過部材とシート材との相対位置がばらついた場合、光透過部材とシート材とが強干渉すると考えられる。すなわち、シート材が遊技機前方に張り出すといった不都合の発生が懸念される。
【００３２】
本手段によれば、光透過部材とシート材との相対位置が、ベース部材の背面と光透過部材の接触部とが接触することによって決定される。このように光透過部材の位置決めがなされることで、シート材と光透過部材とが強干渉するといった不都合を抑制することができる。例えば光透過部材を遊技盤の後方から装着する際に、作業者によって光透過部材が過度に押し込まれるといった不都合を抑制できる。このようにシート材と光透過部材との強干渉を回避することで、シート材の変形を抑えることができる。すなわち、シート材（絵柄）が部分的に張り出したり破れたりすることで意匠性が損なわれるといった不都合を回避することができる。
【００３３】
また、シート材の変形（遊技機前方への張り出し）が抑えられることで、仮に発光部位（開口部）を遊技領域に配置したとしても、遊技領域における遊技球の正常な流下が阻害されたりするといった不都合を抑制可能である。これにより、発光部位の配置自由度をより一層向上することができる。
【００３４】
手段４．前記壁部と前記シート材の背面とが平行であることを特徴とする手段１乃至手段３のいずれか１つの手段に記載の遊技機。
【００３５】
一般的にシート材の前面は遊技球との接触面となりやすい。シート材の絵柄はシート材の背面側に付与され、遊技球との接触等による絵柄の摩耗を抑制しやすい構成となっていることが多い。かかる構成において、シート材の絵柄の背面側に開口部を配置した場合、光透過部材と絵柄とが局所的に集中して当たることで絵柄の摩耗が促進されるといった不都合が生じ得る。本手段によれば、壁部がシート材と平行、すなわち壁部がシート材に対して突出する突起等を有さない構成となっている。このため、シート材と壁部とが当たる箇所が集中し、シート材に対する負荷が局所的に高まるといった不都合を抑えることができる。故に、シート材（特に絵柄）の保護を好適に行うことができる。
【００３６】
結果として、絵柄の背後への発光部位（開口部）を配置を促進しつつ（配置自由度を高めつつ）、配置自由度の向上に伴って発生し得る遊技盤の意匠性の低下を好適に抑制することができる。
【００３７】
手段５．前記壁部が、前記開口部における前記シート材側の周縁部によって区画形成された全領域又は当該全領域のうち周縁部周辺の少なくとも一部を除く領域に対して、前記シート材と直交する方向において重なる構成としたことを特徴とする手段１乃至手段４のいずれか１つの手段に記載の遊技機。
【００３８】
シート材の変形量（撓み量）は開口部の周縁部から遠ざかるにつれて大きくなりやすい。すなわち、開口部の周縁部周辺では小さく、開口部の例えば中央付近において大きくなりやすい。本手段によれば、壁部は、開口部における少なくとも中央付近を塞いでいる。このため、シート材の変形（撓み）を好適に抑制することができる。シート材の変形が好適に抑えられることで、負荷が加わりやすい部位（例えば遊技球の流下経路周辺等）への発光部位（開口部）の配置を促進することができる。
【００３９】
また、例えばシート材の厚みを増したり（剛性を向上したり）、シート材取り付け時の張力を高めたり等することで、発光部位におけるシート材の変形を抑制することも可能である。しかしながらかかる構成とした場合、開口縁部から離れるにつれて変形を抑えることが難しくなる。換言すれば、開口部の中央付近（すなわち撓みが最大となる部分）では撓みを抑えることは困難となる。また、開口部の大きさによる影響を受けやすくなるため、開口部の大きさには制限が生じやすい。本手段においては、光透過部材によって開口縁部から離れた位置におけるシート材の変形を積極的に抑える構成としている。これにより、シート材自身による対策では解消しにくい開口部の中央付近での変形を、好適に抑制することができる。さらに、開口部の大きさに合わせて光透過部材を設定することでシート材の変形を抑制できるため、開口部の大きさに自由度を持たせることができる。また、シート材に対し負荷が加わりやすいと想定される方向（シート材と直交する方向）と、シート材の支持方向とを統一できる。このため、シート材の変形を容易に抑制することができる。
【００４０】
手段６．前記壁部が前記開口部を塞いでいることを特徴とする手段１乃至手段５のいずれか１つの手段に記載の遊技機。
【００４１】
ベース部材の開口部においてシート材の変形を抑えるには、手段６のように、壁部によって開口部を塞ぐ構成とすればよい。これにより、実用上好ましい構成が実現できる。特に、手段４との組み合わせ（壁部とシート材とが平行な構成）においては、シート材の変形を一層好適に抑制することができる。
【００４２】
手段７．前記開口部が、少なくとも前記遊技領域の後方に配置されていることを特徴とする手段１乃至手段６のいずれか１つの手段に記載に遊技機。
【００４３】
手段７によれば、開口部（発光部位）を少なくとも遊技領域内に配置した。これにより、発光部位の配置可能な領域を広げ演出効果及び報知効果の向上を図ることができる。
【００４４】
より具体的には、遊技領域には、釘等によって遊技球が流下するための流下経路が形成されることが多い。シート材から遊技機前方に突出する発光部を設けた場合、遊技球の流下経路に制約が生じ得る。流下経路が限定されることで遊技球の流下が単調化し、遊技性の低下を招くおそれがある。一方、シート材の後方に発光体を配置しシート材が発光する構成とした場合、遊技球の落下経路の確保が容易となる反面、上述の如くシート材の変形（張り出しや凹み等）によって遊技球の落下が阻害されるといった不都合が生じ得る。
【００４５】
しかしながら、手段２又は手段３との組み合わせ（光透過部材の位置決めを行う構成）によれば、光透過部材のシート材に対する強干渉が抑制されており、シート材の遊技機前方への張り出しを抑制できる。これにより、遊技球の流れが阻害されるといった不都合を抑制することができる。更に、手段５又は手段６との組み合わせ（壁部が開口部の全域又は略全域を塞ぐ構成）によれば、シート材の遊技機後方への凹みを抑制できる。以上手段を組み合わせて用いることで、発光部位（開口部）の遊技領域への配置に起因して、遊技球が正常に流下しないといった不都合を好適に抑制することができる。故に、遊技領域への発光部位（開口部）の配置を促進することができる。すなわち、遊技性の悪化を回避しつつ、発光部位の配置の自由度を一層高めることができる。
【００４６】
なお例えば、遊技領域に配置した発光部位によって遊技状況に応じて遊技球が移動すべき経路を示唆することで、遊技球の動きと発光演出とに関連性を付与することができる。故に、遊技球の動きと発光演出との一体感を向上することができる。
【００４７】
手段８．前記壁部と前記接触部とが一体成形されていることを特徴とする手段２乃至手段７のいずれか１つの手段に記載の遊技機。
【００４８】
手段８によれば、光透過部材はその接触部がベース部材の背面に接することで遊技盤（シート材）に対する位置決めがなされている。接触部と光透過部材とが別部材で構成された場合を想定すれば、両者の組み付けばらつきを考慮してシート材と光透過部材とのクリアランスを大きく設定する必要が生じる。これにより、発光模様がぼやけるといった不都合が生じやすくなると懸念される。本手段においては、光透過部材を一体成形することで、組み付けばらつきの排除を実現している。これにより、シート材と光透過部材とのクリアランスを比較的小さく設定することができる。故に、シート材における所望とする範囲での発光を容易なものとすることができる。
【００４９】
手段９．前記壁部が、光を通す光透過部（例えば非塗装領域２８０ａ〜２８２ａ）と、光を通さない非光透過部とを備えていることを特徴とする手段６に記載の遊技機。
【００５０】
手段９によれば、発光手段から射出された光は、光透過部材を介してシート材の背面に照射される。シート材の開口部に対応する部位は光透過性を有するため、光がシート材を通過し遊技機前方に射出される。より詳しくは、光透過部材の壁部が開口部を塞いでいるため、光透過部を通過した光のみがシート材の背面に到達する。光透過部と非光透過部とによって所定の模様(絵柄)を構成することで、発光の模様（絵柄）を規定することができる。また、光透過部材の壁部とシート材とが接触又はほぼ接触しているため、シート材と光透過部材との間における光の広がりが抑えられている。このように光の広がり（滲み）が抑えられることで、所望とする範囲での発光が可能となる。光透過部材によって規定された模様の輪郭をぼやけにくくすることができることで、インパクトのある発光演出が可能となる。例えば、光透過部材によって規定される光の照射範囲が所定の絵柄をなすように構成するとよい。
【００５１】
また、開口部が発光の形（模様）を決定するのではなく光透過部材によって発光の形を決定することができるため、開口部の形を簡素化できる。遊技盤の開口部を変更しなくても、光透過部材の変更のみで多様な発光態様（模様）を実現できる。すなわち、光透過部材を変更することで遊技機毎の発光態様の差別化が可能となる。このように光透過部材によって発光模様を規定する構成とすることで、開口部の共通化を図ることが可能となる。換言すれば、遊技盤のベース部材の共通化を実現することができる。故に、演出効果の向上にともなう製造コストの増加を抑えつつ、発光態様の自由度を担保することができる。
【００５２】
手段１０．前記光透過部材によって規制された光の前記シート材への照射範囲の境界線と、前記シート材における前記開口部の前方に配置された所定の絵柄（絵柄１７５）の描画範囲の外形線とが遊技機の正面視において全体で重なっており、前記シート材は、少なくとも前記描画範囲において光透過性を有していることを特徴とする手段９に記載の遊技機。
【００５３】
手段１０によれば、シート材に付与された所定の絵柄を発光させることができる。光透過部材から光が射出される部位とシート材とが当接又は近接しているため、光透過部材からシート材に至るまでに光が広がる（回折する）といった不都合を抑制することができる。これにより、所定の絵柄の描画範囲のみを発光させることができる。故に、発光範囲を絵柄に合わせることで発光しない部分との差異を明確にし、発光演出時のインパクトを向上することができる。
【００５４】
なお、「所定絵柄」とは、例えば各遊技機及び各機種固有のキャラクタ，装飾絵柄，文字等を示す。また、それらキャラクタ等の一部分に配置された特定の模様等を含むものである。例えば、シート材に一匹の魚の絵が描かれておりその魚の絵全体を発光させる場合にはその魚の絵全体が所定絵柄に該当し、その魚の一部、例えば一枚の鱗等を発光させる場合にはその鱗等が所定絵柄に該当する。
【００５５】
また、「遊技機の正面視において全体で重なっており」とは、照射範囲の境界線と所定絵柄の描画範囲の外形線とがその全周において重なっている状態を示しており、手段２０に示すように光規制手段の取り付けばらつきや製造ばらつき等に起因して、それら境界線及び外形線に若干のずれが生じる場合を含むものである。
【００５６】
手段１１．前記開口部を複数備えるとともに、前記発光手段及び前記光透過部材を複数備え、これら発光手段及び光透過部材を基材（集合板１８０）に組み付けて集合ユニット（集合板ユニット１５０）が構成され、その集合ユニットが前記ベース部材に対し装着されていることを特徴とする手段１乃至手段１０のいずれか１つの手段に記載の遊技機。
【００５７】
手段１１によれば、開口部及び発光手段を複数設けることで、装飾効果及び発光演出効果の向上（例えば発光演出の範囲拡大）を図ることができる。しかしながら、このように発光手段を複数設けた場合、装飾効果及び発光演出効果の向上を図ることができる反面、発光手段や光透過部材等の着脱作業が煩雑化すると懸念される。これら発光手段や光透過部材を基材に組み付けて集合ユニットを構成することで、それらを一体化した状態で装着できる。これにより、メンテナンス時等の作業性を担保することができる。故に、装飾効果及び発光演出効果の向上を図りつつ、それに起因する作業性の悪化を抑制することができる。
【００５８】
例えば、遊技盤の背面側に遊技球を排出する排出通路形成部材を設け、この排出通路形成部材に発光手段及び光透過部材を装着するとよい。
【００５９】
手段１２．前記光透過部材が前記遊技盤の後方から着脱される遊技機であって、前記開口部と前記光透過部材との対向する面の少なくとも一方に、遊技機前方から後方に向かって広がる傾斜面（例えばテーパ部２７０ａ〜２７２ａ）が設けられていることを特徴とする手段１乃至手段１１のいずれか１つの手段に記載の遊技機。
【００６０】
手段１２によれば、光透過部材は遊技盤の後方から装着される。これによりシート材を取り外すことなく光透過部材の着脱が可能となっている。これにより、メンテナンス等の際の作業性を担保することができる。また、手段１０に示すようにシート材の絵柄と光透過部材の光透過部とを揃える構成とした場合、それらシート材及び光透過部材を着脱することで両者の間に位置ずれが生じ易くなると考えられる。本手段に示すように、シート材を固定したまま光透過部材を着脱することを可能とすることで、発光模様の輪郭のずれを抑制することができる。
【００６１】
また、開口部と光透過部材との対向する面の少なくとも一方、すなわち開口部の内周面及び光透過部材における筒状部分の外周面の少なくとも一方に傾斜面が設けられている。これにより、光透過部材を装着する際の引っ掛かりを抑制し、作業性の悪化を抑制することができる。特に手段１１（複数の開口部と複数の光透過部材とを有する構成）との組み合わせにおいては、作業性の悪化を一層好適に抑制することができる。
【００６２】
例えば、開口部の後端部すなわち光透過部材が挿入される入口部分に、遊技機後方に向かって広がるテーパ面を形成するとよい。また、光透過部材の筒状部分の先端に先細り状をなすテーパ面を形成することも可能である。
【００６３】
以下に、以上の各手段を適用し得る遊技機の基本構成を示す。
【００６４】
弾球遊技機：遊技者が操作する操作手段（遊技球発射ハンドル４１）と、その操作手段の操作に基づいて遊技球を弾いて発射する球発射手段（遊技球発射機構１１０）と、その発射された遊技球を所定の遊技領域に導く誘導部（内，外レール部１０１，１０２）と、遊技領域内に配置された各遊技部品（一般入賞口８２等）とを備えた遊技機。
【００６５】
以下、遊技機の一種であるパチンコ遊技機（以下、「パチンコ機」という）の一実施の形態を、図面に基づいて詳細に説明する。図１はパチンコ機１０の正面図、図２及び図３はパチンコ機１０の主要な構成を展開して示す斜視図、図４はパチンコ機１０の背面図である。なお、図２では便宜上パチンコ機１０の遊技領域内の構成を省略している。
【００６６】
パチンコ機１０は、当該パチンコ機１０の外殻を形成する外枠１１と、この外枠１１に対して前方に回動可能に取り付けられた遊技機主部１２とを有する。外枠１１は木製の板材を四辺に連結し構成されるものであって矩形枠状をなしている。パチンコ機１０は、外枠１１を島設備に取り付け固定することにより、遊技ホールに設置される。
【００６７】
遊技機主部１２は、ベース体としての本体枠１３と、その本体枠１３の前方に配置される前扉枠１４と、本体枠１３の後方に配置される裏パックユニット１５とを備えている。遊技機主部１２のうち本体枠１３が外枠１１に対して回動可能に支持されている。詳細には、正面視で左側を回動基端側とし右側を回動先端側として本体枠１３が前方へ回動可能とされている。
【００６８】
本体枠１３には、図２に示すように、前扉枠１４が回動可能に支持されており、正面視で左側を回動基端側とし右側を回動先端側として前方へ回動可能とされている。また、本体枠１３には、図３に示すように、裏パックユニット１５が回動可能に支持されており、正面視で左側を回動基端側とし右側を回動先端側として後方へ回動可能とされている。
【００６９】
次に、前扉枠１４について説明する。なお、以下の説明では、図１〜図３を参照するとともに、前扉枠１４の背面の構成については図５を参照する。図５は、前扉枠１４の背面図である。
【００７０】
前扉枠１４は本体枠１３の前面側全体を覆うようにして設けられている。前扉枠１４には後述する遊技領域のほぼ全域を前方から視認することができるようにした窓部２１が形成されている。窓部２１は、略楕円形状をなし、透明性を有するガラス２２が嵌め込まれている。窓部２１の周囲には、各種ランプ等の発光手段が設けられている。例えば、窓部２１の周縁に沿ってＬＥＤ等の発光手段を内蔵した環状電飾部２３が設けられている。環状電飾部２３では、大当たり時や所定のリーチ時等における遊技状態の変化に応じて点灯や点滅が行われる。また、環状電飾部２３の中央であってパチンコ機１０の最上部には所定のエラー時に点灯するエラー表示ランプ部２４が設けられ、さらにその左右側方には賞球払出中に点灯する賞球ランプ部２５が設けられている。また、左右の賞球ランプ部２５に近接した位置には、遊技状態に応じた効果音などが出力されるスピーカ部２６が設けられている。
【００７１】
前扉枠１４における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている。上皿３３は、後述する払出装置より払い出された遊技球を一旦貯留し、一列に整列させながら後述する遊技球発射機構側へ導くための機能を有する。また、下皿３４は、上皿３３内にて余剰となった遊技球を貯留する機能を有する。
【００７２】
下側膨出部３２の右方には、手前側へ突出するようにして遊技球発射ハンドル４１が設けられている。遊技球発射ハンドル４１が操作されることにより、後述する遊技球発射機構から遊技球が発射される。
【００７３】
前扉枠１４の背面には、図２及び図５に示すように、通路形成ユニット５０が取り付けられている。通路形成ユニット５０は、合成樹脂により成形されており、上皿３３に通じる前扉側上皿通路５１と、下皿３４に通じる前扉側下皿通路５２とが形成されている。通路形成ユニット５０において、その上側隅部には後方に突出し上方に開放された受口部５３が形成されており、当該受口部５３を仕切壁５４によって左右に仕切ることで前扉側上皿通路５１と前扉側下皿通路５２の入口部分とが形成されている。前扉側上皿通路５１及び前扉側下皿通路５２は上流側が後述する遊技球分配部に通じており、前扉側上皿通路５１に入った遊技球は上皿３３に導かれ、前扉側下皿通路５２に入った遊技球は下皿３４に導かれる。
【００７４】
前扉枠１４の背面における回動基端側（図５の右側）には、その上端部及び下端部に突起軸６１，６２が設けられている。これら突起軸６１，６２は本体枠１３に対する組付機構を構成する。また、前扉枠１４の背面における回動先端側（図５の左側）には、図２に示すように、後方に延びる鉤金具６３が上下方向に複数並設されている。これら鉤金具６３は本体枠１３に対する施錠機構を構成する。
【００７５】
次に、本体枠１３について詳細に説明する。図６は本体枠１３の正面図である。
【００７６】
本体枠１３は、外形が外枠１１とほぼ同一形状をなす樹脂ベース７１を主体に構成されている。樹脂ベース７１の前面における回動基端側（図６の左側）には、その上端部及び下端部に支持金具７２，７３が取り付けられている。図示は省略するが、支持金具７２，７３には軸孔が形成されており、それら軸孔に前扉枠１４の突起軸６１，６２が挿入されることにより、本体枠１３に対して前扉枠１４が回動可能に支持されている。
【００７７】
樹脂ベース７１の前面における回動先端側（図６の右側）には、前扉枠１４の背面に設けられた鉤金具６３を挿入するための挿入孔７４がそれぞれ設けられている。本パチンコ機１０では、本体枠１３や前扉枠１４を施錠状態とするための施錠装置が本体枠１３の背面側に隠れて配置される構成となっている。したがって、鉤金具６３が挿入孔７４を介して施錠装置に係止されることによって、前扉枠１４が本体枠１３に対して開放不能に施錠される。
【００７８】
樹脂ベース７１の右下隅部には、施錠装置の解錠操作を行うためのシリンダ錠７５が設置されている。シリンダ錠７５は施錠装置に一体化されており、シリンダ錠７５の鍵穴に差し込んだキーを右に回すと本体枠１３に対する前扉枠１４の施錠が解かれるようになっている。なお、シリンダ錠７５の鍵穴に差し込んだキーを左に回すと外枠１１に対する本体枠１３の施錠が解かれるようになっている。
【００７９】
樹脂ベース７１の中央部には略楕円形状の窓孔７６が形成されている。樹脂ベース７１の背面側には遊技盤８０が着脱可能に取り付けられている。遊技盤８０は木製の合板よりなるベース部材８１を有し、そのベース部材８１の前面には光透過性を有するシート材１７０（いわゆるセルシート）が設けられている（図１８参照）。シート材１７０は、遊技盤８０とほぼ同じ大きさ（外形）に形成され、遊技盤８０の前面に接着等の固定手段によって取り付けられている。シート材１７０には絵柄等の装飾が付与されている。これにより、遊技盤８０の意匠性の向上が図られている。遊技盤８０の前面（シート材１７０の前面）には、遊技球が流下する遊技領域が形成されている。この遊技領域は樹脂ベース７１の窓孔７６を通じて本体枠１３の前面側に露出した状態となっている。以下、遊技盤８０の主要な構成（シート材１７０を除く）を図７に基づいて説明する。なお、シート材１７０についての詳細は後述する。
【００８０】
遊技盤８０には、ルータ加工が施されることによって前後方向に貫通する大小複数の開口部が形成されている。各開口部には、一般入賞口８２，可変入賞装置８３，作動口８４ａ，作動口８４ｂ，スルーゲート８５及び可変表示ユニット８６等がそれぞれ設けられている。一般入賞口８２、可変入賞装置８３及び作動口８４に遊技球が入ると、それが後述する検知スイッチにより検知され、その検知結果に基づいて所定数の賞球の払い出しが実行される。その他に、遊技盤８０の最下部にはアウト口８７が設けられており、各種入賞口等に入らなかった遊技球はアウト口８７を通って遊技領域から排出される。
【００８１】
また、遊技盤８０には、遊技球の落下方向を適宜分散、調整等するために多数の釘８８が植設されていると共に、風車等の各種部材（役物）が配設されている。
【００８２】
可変表示ユニット８６には、作動口８４ａ，８４ｂへの入賞をトリガとして図柄を可変表示する図柄表示装置９１が設けられている。また、可変表示ユニット８６には、図柄表示装置９１を囲むようにしてセンターフレーム９２が配設されている。センターフレーム９２の上部には、第１特定ランプ部９３及び第２特定ランプ部９４が設けられている。また、センターフレーム９２の上部及び下部にはそれぞれ保留ランプ部９５，９６が設けられている。下側の保留ランプ部９５は、図柄表示装置９１及び第１特定ランプ部９３に対応しており、遊技球が作動口８４を通過した回数は最大４回まで保留され保留ランプ部９５の点灯によってその保留個数が表示されるようになっている。上側の保留ランプ部９６は、第２特定ランプ部９４に対応しており、遊技球がスルーゲート８５を通過した回数は最大４回まで保留され保留ランプ部９６の点灯によってその保留個数が表示されるようになっている。
【００８３】
図柄表示装置９１は、液晶ディスプレイを備えた液晶表示装置として構成されており、後述する表示制御装置により表示内容が制御される。図柄表示装置９１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００８４】
第１特定ランプ部９３では、作動口８４への入賞をトリガとして所定の順序で発光色の切り替えが行われ、予め定められた色で停止表示された場合には大当たりが発生する。また、第２特定ランプ部９４では、遊技球のスルーゲート８５の通過をトリガとして所定の順序で発光色の切り替えが行われ、予め定められた色で停止表示された場合には作動口８４ｂに付随する電動役物８９が所定時間だけ開放状態となる。より詳しくは、作動口８４ｂにおいては、通常は遊技球が入賞できない又は入賞し難い状態（閉状態）になっており、電動役物８９が開放されることで遊技球が入賞しやすい状態に切り換えられるようになっている。
【００８５】
可変表示ユニット８６は遊技盤８０の中央上寄りに配置されており、その下方に作動口８４ａ，８４ｂが配置されている。より詳しくは、作動口８４ａ，８４ｂは、作動口８４を上側、作動口８４ｂを下側としてとして上下に並設されている。可変表示ユニット８６及び作動口８４ａ，８４ｂは、遊技性を司る部位であり遊技者の注意が集まりやすい。それら可変表示ユニット８６及び作動口８４ａ，８４ｂを遊技機中央において上下に並べて配置することで両者間での視線の移動量を抑え、遊技者の目に生じる負担の低減に貢献している。
【００８６】
可変入賞装置８３も通常は遊技球が入賞できない又は入賞し難い閉状態になっており、大当たりの際に遊技球が入賞しやすい所定の開放状態に切り換えられるようになっている。可変入賞装置８３の開放態様としては、所定時間（例えば３０秒間）の経過又は所定個数（例えば１０個）の入賞を１ラウンドとして、複数ラウンド（例えば１５ラウンド）を上限として可変入賞装置８３が繰り返し開放されるものが一般的である。
【００８７】
遊技盤８０には、内レール部１０１と外レール部１０２とが取り付けられており、これら内レール部１０１と外レール部１０２とにより誘導レールが構成され、後述する遊技球発射機構から発射された遊技球が遊技領域の上部に案内されるようになっている。
【００８８】
遊技球発射機構１１０は、図６に示すように、樹脂ベース７１における窓孔７６の下方に取り付けられている。遊技球発射機構１１０は、電磁式のソレノイド１１１と、発射レール１１２と、球送り機構１１３とからなり、ソレノイド１１１への電気的な信号の入力により当該ソレノイド１１１の出力軸が伸縮方向に移動し、球送り機構１１３によって発射レール１１２上に置かれた遊技球を遊技領域に向けて打ち出す。
【００８９】
発射レール１１２と遊技盤８０に取り付けられた内，外レール部１０１，１０２との間には所定間隔の隙間があり、この隙間より下方には前扉枠１４の通路形成ユニット５０に形成されたファール球通路５５が配設されている。したがって、仮に遊技球発射機構１１０から発射された遊技球が遊技領域の上部に到達せずに、内，外レール部１０１，１０２によって構成される誘導レールを逆戻りする場合には、そのファール球がファール球通路５５内に入る。ファール球通路５５は前扉側下皿通路５２に通じており、ファール球通路５５に入った遊技球は下皿３４に排出される。
【００９０】
樹脂ベース７１において発射レール１１２の左方には、樹脂ベース７１を前後方向に貫通させて通路形成部１２１が設けられている。通路形成部１２１には図３に示すように本体側上皿通路１２２と本体側下皿通路１２３とが形成されている。本体側上皿通路１２２及び本体側下皿通路１２３の上流側は、後述する遊技球分配部に通じている。また、通路形成部１２１の下方には前扉枠１４に取り付けられた通路形成ユニット５０の受口部５３が入り込んでおり、本体側上皿通路１２２の下方には前扉側上皿通路５１が配置され、本体側下皿通路１２３の下方には前扉側上皿通路５１が配置されている。
【００９１】
樹脂ベース７１において通路形成部１２１の下方には、本体側上皿通路１２２及び本体側下皿通路１２３を開閉する開閉部材１２４が取り付けられている。開閉部材１２４はその下端に設けられた支軸１２５により前後方向に回動可能に支持されており、さらに本体側上皿通路１２２及び本体側下皿通路１２３を閉鎖する前方位置に付勢する図示しない付勢部材が設けられている。したがって、前扉枠１４を本体枠１３に対して開いた状態では開閉部材１２４が図示の如く起き上がり、本体側上皿通路１２２及び本体側下皿通路１２３を閉鎖する。これにより、本体側上皿通路１２２又は本体側下皿通路１２３に遊技球が貯留されている状態で前扉枠１４を開放した場合、その貯留球がこぼれ落ちてしまうといった不都合が防止できる。これに対し、前扉枠１４を閉じた状態では、前扉枠１４の通路形成ユニット５０に設けられた受口部５３により付勢力に抗して開閉部材１２４が押し開けられる。この状態では、本体側上皿通路１２２と前扉側上皿通路５１とが連通し、さらに本体側下皿通路１２３と前扉側下皿通路５２とが連通している。
【００９２】
次に、本体枠１３の背面構成について説明する。図８は本体枠１３の背面図である。
【００９３】
樹脂ベース７１の背面における回動先端側（図８の左側）には、施錠装置１３１が設けられており、シリンダ錠７５におけるキー操作に対して施錠装置１３１が連動し、本体枠１３及び前扉枠１４の解錠が行われる。
【００９４】
樹脂ベース７１の背面における回動基端側（図８の右側）には、軸受け金具１３２が取り付けられている。軸受け金具１３２には、上下に離間させて軸受け部１３３が形成されており、これら軸受け部１３３により本体枠１３に対して裏パックユニット１５が回動可能に取り付けられている。また、樹脂ベース７１の背面には、裏パックユニット１５を本体枠１３に締結するための被締結孔１３４が設けられている。
【００９５】
樹脂ベース７１の背面には、係止金具１３５が複数設けられており、これら係止金具１３５によって上述したように樹脂ベース７１に対して遊技盤８０が取り付けられている。ここで、遊技盤８０の背面の構成を説明する。図９は遊技盤８０を後方より見た斜視図、図１０は遊技盤８０から主制御装置ユニット１６０を取り外した状態を示す背面図である。
【００９６】
遊技盤８０の中央に配置される可変表示ユニット８６には、センターフレーム９２を背後から覆う合成樹脂製のフレームカバー１４１が後方に突出させて設けられており、フレームカバー１４１に対して後側から上述した図柄表示装置９１が取り付けられるとともに、その図柄表示装置を駆動するための表示制御装置が取り付けられている（図示は省略）。これら図柄表示装置９１及び表示制御装置は前後方向に重ねて配置され（図柄表示装置が前、表示制御装置が後）、さらにその後方に音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【００９７】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【００９８】
図１０に示すように、遊技盤８０（詳しくはベース部材８１）の背面には、集合板ユニット１５０が設けられている。その集合板ユニット１５０は、前記可変表示ユニット８６の下方に配置されている。集合板ユニット１５０は、遊技盤８０への取付部としての集合板１８０及び遊技球の回収機構等の各種機構を備えている。より具体的には、集合板１８０に、各種入賞口に入賞した遊技球を回収するための遊技球回収機構と、各種入賞口等への遊技球の入賞を検知するための入賞検知機構と、シート材１７０を介して発光演出を行うシート発光機構２５０とが設けられている。
【００９９】
集合板１８０は遊技盤８０の背面と平行な板状をなす。集合板１８０の左右方向寸法は遊技盤８０の幅寸法とほぼ同等に構成されており、その左右両側部には複数の貫通孔（図示略）が形成されている。集合板１８０（集合板ユニット１５０）は、それら貫通孔にビス等の締結具を挿通した状態で遊技盤８０の背面に固定されている。以下、遊技球回収機構及び入賞検出機構について説明し、シート発光機構２５０についての詳細は後述する。
【０１００】
先ず遊技球回収機構について説明すると、集合板１８０には、前記一般入賞口８２，可変入賞装置８３，作動口８４の遊技盤開口部に対応して且つ下流側で１カ所に集合する回収通路１５１が形成されている。一般入賞口８２等に入賞した遊技球は何れも回収通路１５１を介して遊技盤８０の下方に集合する。遊技盤８０の下方には後述する排出通路があり、回収通路１５１により遊技盤８０の下方に集合した遊技球は排出通路内に導出される。なお、アウト口８７も同様に排出通路に通じており、何れの入賞口にも入賞しなかった遊技球もアウト口８７を介して排出通路内に導出される。
【０１０１】
入賞検知機構について説明すると、集合板１８０には、遊技盤８０表側の一般入賞口８２と対応する位置に入賞口スイッチ１５２が設けられ、可変入賞装置８３と対応する位置にカウントスイッチ１５３が設けられ、作動口８４に対応する位置に作動口スイッチ１５４が設けられている。これらスイッチ１５２〜１５４により遊技球の入賞がそれぞれ検知される。なお、集合板ユニット１５０外における可変表示ユニット８６の左右両側には、スルーゲート８５を通過する遊技球を検知するゲートスイッチ１５５が設けられている。
【０１０２】
遊技盤８０の背面には、集合板ユニット１５０を後方から覆うようにして主制御装置ユニット１６０が搭載されている。主制御装置ユニット１６０の構成について図１１を用いて説明する。図１１は主制御装置ユニット１６０の構成を示す斜視図である。
【０１０３】
主制御装置ユニット１６０は、合成樹脂製の取付台１６１を有し、取付台１６１に主制御装置１６２が搭載されている。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【０１０４】
基板ボックス１６３は、略直方体形状のボックスベース（表ケース体）とこのボックスベースの開口部を覆うボックスカバー（裏ケース体）とを備えている。これらボックスベースとボックスカバーとは封印手段としての封印部１６４によって開封不能に連結され、これにより基板ボックス１６３が封印されている。封印部１６４は、基板ボックス１６３の長辺部に５つ設けられ、そのうち少なくとも一つが用いられて封印処理が行われる。
【０１０５】
封印部１６４はボックスベースとボックスカバーとを開封不能に結合する構成であれば任意の構成が適用できるが、封印部１６４を構成する長孔に係止爪を挿入することでボックスベースとボックスカバーとが開封不能に結合されるようになっている。封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、５つの封印部１６４のうち、少なくとも一つの長孔に係止爪を挿入することにより封印処理が行われる。そして、収容した主制御基板の不具合発生の際や主制御基板の検査の際など基板ボックス１６３を開封する場合には、係止爪が挿入された封印部と他の封印部との連結部分を切断する。これにより、基板ボックス１６３のボックスベースとボックスカバーとが分離され、内部の主制御基板を取り出すことができる。その後、再度封印処理する場合は他の封印部の長孔に係止爪を挿入する。基板ボックス１６３の開封を行った旨の履歴を当該基板ボックス１６３に残しておけば、基板ボックス１６３を見ることで不正な開封が行われた旨が容易に発見できる。
【０１０６】
基板ボックス１６３の一方の短辺部には、その側方に突出するようにして複数の結合片１６５が設けられている。これら結合片１６５は、取付台１６１に形成された複数の被結合片１６６と１対１で対応しており、結合片１６５と被結合片１６６とにより基板ボックス１６３と取付台１６１との間で封印処理が行われる。
【０１０７】
次に、裏パックユニット１５について説明する。図１２は裏パックユニット１５の正面図、図１３は裏パックユニット１５の分解斜視図である。
【０１０８】
裏パックユニット１５は、裏パック２０１を備えており、当該裏パック２０１に対して、払出機構部２０２、排出通路盤２０３、及び制御装置集合ユニット２０４が取り付けられている。裏パック２０１は透明性を有する合成樹脂により成形されており、払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８６を囲むのに十分な大きさを有する。
【０１０９】
ベース部２１１には、その右上部に外部端子板２１３が設けられている。外部端子板２１３には各種の出力端子が設けられており、これらの出力端子を通じて遊技ホール側の管理制御装置に対して各種信号が出力される。また、ベース部２１１にはパチンコ機１０後方からみて右端部に上下一対の掛止ピン２１４が設けられており、掛止ピン２１４を本体枠１３に設けられた前記軸受け部１３３に挿通させることで、裏パックユニット１５が本体枠１３に対して回動可能に支持されている。また、ベース部２１１には、本体枠１３に設けられた被締結孔１３４に対して締結するための締結具２１５が設けられており、当該締結具２１５を被締結孔１３４に嵌め込むことで本体枠１３に対して裏パックユニット１５が固定されている。
【０１１０】
ベース部２１１には、保護カバー部２１２を迂回するようにして払出機構部２０２が配設されている。すなわち、裏パック２０１の最上部には上方に開口したタンク２２１が設けられており、タンク２２１には遊技ホールの島設備から供給される遊技球が逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【０１１１】
遊技球分配部２２５は、払出装置２２４より払い出された遊技球を上皿３３、下皿３４又は後述する排出通路の何れかに振り分けるための機能を有し、内側の開口部２２６が上述した本体側上皿通路１２２及び前扉側上皿通路５１を介して上皿３３に通じ、中央の開口部２２７が本体側下皿通路１２３及び前扉側下皿通路５２を介して下皿３４に通じ、外側の開口部２２８が排出通路に通じるように形成されている。
【０１１２】
払出機構部２０２には、裏パック基板２２９が設置されている。裏パック基板２２９には、例えば交流２４ボルトの主電源が供給され、電源スイッチ２２９ａの切替操作により電源ＯＮ又は電源ＯＦＦとされるようになっている。
【０１１３】
ベース部２１１の下端部には、当該下端部を前後に挟むようにして排出通路盤２０３及び制御装置集合ユニット２０４が取り付けられている。排出通路盤２０３は、制御装置集合ユニット２０４と対向する面に後方に開放された排出通路２３１が形成されており、当該排出通路２３１の開放部は制御装置集合ユニット２０４によって塞がれている。排出通路２３１は、遊技ホールの島設備等へ遊技球を排出するように形成されており、上述した回収通路１５１等から排出通路２３１に導出された遊技球は当該排出通路２３１を通ることでパチンコ機１０外部に排出される。
【０１１４】
制御装置集合ユニット２０４は、横長形状をなす取付台２４１を有し、取付台２４１に払出制御装置２４２と電源及び発射制御装置２４３とが搭載されている。これら払出制御装置２４２と電源及び発射制御装置２４３とは、払出制御装置２４２がパチンコ機１０後方となるように前後に重ねて配置されている。
【０１１５】
払出制御装置２４２は、基板ボックス２４４内に払出装置２２４を制御する払出制御基板が収容されている。なお、払出制御装置２４２から払出装置２２４への払出指令の信号は上述した裏パック基板２２９により中継される。また、払出制御装置２４２には状態復帰スイッチ２４５が設けられている。例えば、払出装置２２４における球詰まり等、払出エラーの発生時において状態復帰スイッチ２４５が押されると、球詰まりの解消が図られるようになっている。
【０１１６】
電源及び発射制御装置２４３は、基板ボックス２４６内に電源及び発射制御基板が収容されており、当該基板により、各種制御装置等で要する所定の電源が生成されて出力され、さらに遊技者による遊技球発射ハンドル４１の操作に伴う遊技球の打ち出しの制御が行われる。また、電源及び発射制御装置２４３にはＲＡＭ消去スイッチ２４７が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ２４７を押しながら電源を投入すると、ＲＡＭデータが初期化されるようになっている。
【０１１７】
ここで、図１４乃至図１８を用いて、上述した集合板ユニット１５０のシート発光機構２５０について詳しく説明する。図１４は集合板ユニット１５０を表側から見た斜視図、図１５は集合板ユニット１５０を裏側から見た斜視図、図１６は集合板ユニット１５０（シート発光機構２５０）を分解して示す分解斜視図、図１７はカバー部材２５７の斜視図、図１８は図７のＡ−Ａ線部分端面図である。
【０１１８】
シート発光機構２５０は、複数の基板２５１〜２５６とそれら基板２５１〜２５６を覆うカバー部材２５７，２５８とを備えている。基板２５１〜２５３及び基板２５４〜２５６と、カバー部材２５７及びカバー部材２５８とはそれぞれ同様の構成を有するため、以下、基板２５１〜２５３及びカバー部材２５７について説明する。
【０１１９】
基板２５１〜２５３は、遊技盤８０（詳しくはベース部材８１）の背面と平行な板状に形成されている。これら基板２５１〜２５３は集合板１８０の前面側にビス等の締結具によって固定されている。基板２５１〜２５３における遊技盤８０の背面と対向する側は、発光体２５９を搭載する搭載面２５１ａ〜２５３ａとされ、複数の発光体２５９（本実施の形態においては発光ダイオード）がハンダ付け等の固定手段によって固定されている。なお、発光ダイオードに代えて白熱球等を用いることも可能である。
【０１２０】
基板２５１〜２５３の背面には複数の配線（図示略）が結合されており、集合板１８０にはこれら配線に対応した貫通孔２６０〜２６２が形成されている。これら配線は貫通孔２６０〜２６２を介して音声ランプ制御装置１４３に接続されている。この音声ランプ制御装置１４３からの信号（指令）に基づき、発光体２５９の点灯、点滅が行なわれる。すなわち発光態様の制御（以下、発光制御ともいう）が行われる。因みに本実施の形態においては、多色発光タイプの発光ダイオードを用い、音声ランプ制御装置１４３によって発光色の移り変わりも制御する構成としたが、単色発光タイプの発光ダイオードを用いることで発光色を変化させない構成とすることも可能である。なお、集合板１８０における基板２５４〜２５６の背面側にも貫通孔２９８〜３００が形成されており、これら基板２５４〜２５６にも配線が結合されている。
【０１２１】
カバー部材２５７は、集合板１８０における遊技盤８０と対向する側に配置されている。すなわち、上述したようにカバー部材２５７によって、基板２５１〜２５３（詳しくは発光体２５９）がパチンコ機１０の前方から覆われている。図１７を参照してカバー部材２５７の主要な構成について説明する。なお、パチンコ機１０の完成状態においては、図１５の右上側がパチンコ機１０の前側、左下側がパチンコ機１０の後側となる。
【０１２２】
カバー部材２５７は、集合板１８０に対する取付部としてのベースプレート２６５を備えている。ベースプレート２６５は長板状に形成されている。ベースプレート２６５における遊技盤８０と対向する面（図１７におけるベースプレート２６５の上面）には、遊技盤８０から離れる方向に凹んだ凹部２６７が複数設けられている。それら凹部２６７の底には丸孔２６８がそれぞれ形成されている。それら丸孔２６８に遊技盤８０側からビス等の締結具を挿通した状態で、ベースプレート２６５（カバー部材２５７）は集合板１８０に固定されている。かかる固定状態においては、締結具の頭部は凹部２６７に収容され、ベースプレート２６５における遊技盤８０と対向する面（すなわち上面）から突出しない構成となっている。
【０１２３】
ベースプレート２６５には、発光体２５９からの光を規制する張出部２７０〜２７２が設けられている。張出部２７０〜２７２は、ベースプレート２６５と一体に成形されており、ベースプレート２６５からシート材１７０の背面に向かって突出している。各張出部２７０〜２７２はベースプレート２６５の長手方向に延びており、張出部２７０及び張出部２７１は同一直線上に、張出部２７０及び張出部２７２は所定の間隔を隔てて平行に、それぞれ配置されている。より具体的には、パチンコ機１０の完成状態において、張出部２７０，２７１が、張出部２７２よりも上側となるように構成されている。
【０１２４】
また、張出部２７０〜２７２は底部が開放された中空状をなし、これら張出部２７０〜２７２（開放された部分）の後方に基板２５１〜２５３（詳しくは発光体２５９）が配置されている。張出部２７０〜２７２について詳述すれば、各張出部２７０〜２７２は、ベースプレート２６５から起立する筒状の周壁２７７〜２７９を有する。周壁２７７〜２７９における遊技盤８０に対向する部位には、周壁２７７〜２７９の開口を塞ぐ天壁２８０〜２８２が形成されている。したがって、発光体２５９から射出された光は、これら周壁２７７〜２７９及び天壁２８０〜２８２に到達する。カバー部材２５８についても同様の構成、すなわちベースプレート２６６及び張出部２７３〜２７６を備えている。
【０１２５】
遊技盤８０のベース部材８１には、上述した各張出部２７０〜２７６に対応して開口部２８３〜２８９が形成されている。すなわち、開口部２８３〜２８９に張出部２７０〜２７６が収容される構成となっている。開口部２８３〜２８９は作動口８４等を挟んで左右両側に設けられている。発射レール１１２側の開口部２８３〜２８５と発射ハンドル４１側の開口部２８６〜２８９とは同様の構成を有する。以下、再び図７及び図１８を用いて、開口部２８３〜２８５とそれら開口部２８３〜２８５の周辺に設けられた誘導釘２９０〜２９２とについて詳細に説明する。
【０１２６】
開口部２８３〜２８５は、遊技盤８０の背面側ではパチンコ機１０の後方に開放されており、遊技盤８０の前面側ではシート材１７０によって覆われている。開口部２８３〜２８５は左右に延びる横長状をなし、開口部２８３，２８４を上側、開口部２８５を下側として配置されている。上側の開口部２８３，２８４は、パチンコ機１０の正面視において遊技盤８０（詳しくは遊技領域）の側部から作動口８４に向かって下り傾斜している。より詳しくは、開口部２８３を作動口８４側として、開口部２８３と開口部２８４とが同一直線状となるように配置されている。なお、これら開口部２８３，２８４を一体とすることも可能である。
【０１２７】
また、下側の開口部２８５は、上側の開口部２８３と平行に配置されており、遊技盤８０（詳しくは遊技領域）の側部から可変入賞装置８３に向かって下り傾斜している。
【０１２８】
上側の開口部２８３，２８４の周辺には、誘導釘２９０，２９１が複数植設されている。より具体的には、誘導釘２９０は開口部２８３，２８４の上側の長辺に沿って配置されており、誘導釘２９１は開口部２８３，２８４の下側の長辺に沿って配置されている。これら誘導釘２９０，２９１によって、遊技領域を流下する遊技球を作動口８４に導く誘導通路２９３が形成されている。本実施の形態においては、この誘導通路２９３の入口（上方の端部）の上方にスルーゲート８５が配置されている。すなわち、図７に示すように、スルーゲート８５は可変表示ユニット８６の側方に位置している。可変表示ユニット８６の側方を流下した遊技球のうちスルーゲート８５を通過した遊技球は、誘導通路２９３に導かれ、作動口８４に到達しやすい構成となっている。
【０１２９】
また、下側の開口部２８５の周辺にも誘導釘２９２が複数植設されている。より具体的には、誘導釘２９２は開口部２８５の長辺（下端辺）に沿って配置されている。開口部２８５は、誘導釘２９１と誘導釘２９２とによって挟まれる構成となっている。それら誘導釘２９１，２９２によって区画された領域が、遊技球を可変入賞装置８３に導く誘導通路２９４を形成している。
【０１３０】
誘導釘２９０〜２９２は棒状をなし、遊技盤８０の前面に対しほぼ直交した状態で設けられている。より詳細には、誘導釘２９０〜２９２は、遊技盤の前面に対し若干上向き（本実施の形態においては５°程度）で設けられている。このように誘導釘２９０〜２９２を傾けることで、遊技球が釘に接触した際に、遊技盤８０側（シート材１７０）に向かって誘導することができる。遊技球は遊技盤８０と当たることでその流下の勢いが減じられる。このように遊技球を減速することで、遊技者による遊技球の視認を容易なものとすることができる。また、遊技球を遊技盤８０に沿って流下させることで、それら遊技球がガラス２２に当たるといった不都合を抑制することもできる。但し、このように誘導釘２９０〜２９２を遊技盤８０の前面に対して斜めに傾けて取り付けたことで、誘導釘２９０〜２９２の根元端（後端側）が下方に下がる構成となっている。
【０１３１】
パチンコ機１０が製造される際に、遊技盤８０に対する誘導釘２９０，２９１の植設工程にて、誘導釘２９０，２９１の打ち込みにより誘導釘２９０，２９１の先端部が開口部２８３〜２８５に近づいた場合、開口部２８３〜２８５の内周面が盛り上がったりする不都合が生じ得る。また、遊技盤８０の清掃等のメンテナンスに際し、誘導釘２９０，２９１に負荷がかかることで、誘導釘２９０，２９１がパチンコ機１０の後方へ押し込まれたりする可能性がある。かかる場合にも、誘導釘２９０，２９１の先端部が開口部２８３〜２８５に近づき、開口部２８３〜２８５の内周面が盛り上がったりする不都合が生じ得る。開口部２８３〜２８５には、上述の如くカバー部材２７０が挿入される構成となっている。このため、開口部２８３〜２８５の内周面の盛り上がりに起因して、カバー部材２７０の組み付け性が悪化するおそれがある。しかしながら本実施の形態においては、開口部２８３〜２８５を誘導通路２９３，２９４の下寄りに配置した。すなわち、開口部２８３，２８４は誘導釘２９１寄りに、開口部２８５は誘導釘２９２寄りに配置されている。このため、仮に誘導釘２９０，２９１が押し込まれた場合であっても、開口部２８３，２８４に影響がおよびにくくなっている。これにより、開口部２８３〜２８５の保護を図り、カバー部材２７０の組み付け性を担保している。なお、開口部２８５〜２８８の周辺にも同様に誘導釘２９５〜２９７が植設されている。これら開口部２８５〜２８８も自身の下方に位置する誘導釘２９６，２９７寄りに配置されている。
【０１３２】
次に、図１８に基づいて遊技盤８０及びカバー部材２５７の相互の関係について説明する。なお、図１８には開口部２８３〜２８５とカバー部材２５７のみを示すが、開口部２８５〜２８８及びカバー部材２５８の相互の関係も同様である。
【０１３３】
開口部２８３〜２８５の内周面はカバー部材の周壁２７７〜２７９に対応して形成されている。より具体的には、開口部２８３〜２８５の内周面は、周壁２７７〜２７９の外周面と平行となるように構成されており、それら内周面及び外周面の両者はほぼ同一の外形（実際には周壁２７７〜２７９の外形のほうが若干小さい）を有する。また、天壁２８０〜２８２は、シート材１７０の背面と平行に形成されている。カバー部材２５７のベースプレート２６５の前面が遊技盤８０の背面に接触した状態で、カバー部材２５７（集合板ユニット）の前後方向の位置決めがなされる。このようにカバー部材２５７の位置決めがなされた状態で、天壁２８０〜２８２はシート材１７０の背面に対して面当りする構成となっている。
【０１３４】
本実施の形態においては、カバー部材２５７は合成樹脂により一体成形されている。すなわち、遊技盤８０に対しての位置決め機能を有するベースプレート２６５とシート材１７０に接する天壁２８０〜２８２とが一体成形されている。位置決め部位を他の部材に付与する場合と比較すれば、天壁２８０〜２８２のシート材１７０に対する位置ばらつきを抑えることが容易である。すなわち、集合板ユニット１５０の組み付けばらつきに起因して、天壁２８０〜２８２とシート材１７０との距離がばらつくことを抑制することができる。
【０１３５】
また、張出部２７０〜２７２の天壁２８０〜２８２の周縁部には、先細り状をなすテーパ部２７０ａ〜２７２ａが形成されている。これにより、張出部２７０〜２７２の開口部２８３〜２８５への挿入を容易なものとしている。
【０１３６】
ここで、再び図１４を用いて、シート材１７０の主要な構成について説明する。シート材１７０は、光透過性を有する樹脂材料、例えばキャブロイド（太平化学製品（株）の登録商標）等で形成された樹脂板１７１と、同じく光透過性を有する裏紙１７２と、それら樹脂板１７１及び裏紙を接着する接着層１７３とを備えている。樹脂板１７１の背面には、パチンコ機１０の機種に関する絵柄等が印刷により描画又は着色されたインク塗布層１７４が形成されている。このインク塗布層１７４によって遊技盤８０の意匠性の向上が図られている。インク塗布層１７４の背側には接着層１７３が設けられ、インク塗布層１７４（詳しくは樹脂板１７１）と裏紙１７２とが接着されている。シート材１７０は遊技盤８０の前面に接着等の固定手段（接着層１７６）によって取り付けられている。上述した接着層１７３及びインク塗布層１７４も光透過性を有し、シート材１７０は全体として光を透過する構成となっている。
【０１３７】
なお、遊技盤８０に開口部２８３〜２８９が形成されているため、シート材１７０にベース部材８１によって後方から支えられない領域が生じる。本実施の形態においては、樹脂板１７１の厚み寸法を通常よりも増すことで（具体的には０．４ｍｍ程度とすることで）、シート材１７０の補強を図っている。
【０１３８】
カバー部材２５７も、光透過性を有する合成樹脂（例えばアクリル樹脂やポリカーボネート樹脂等）により形成されている。カバー部材２５７におけるシート材１７０と対向する側のほぼ全面には、光を遮断する黒色の塗装が施されている。具体的には、張出部２７０〜２７２における開口部２８３〜２８５と対向する周面の全域には塗装が施されている。一方、天壁２８０〜２８２におけるシート材１７０と対向する面の一部は塗装がなされておらず（以下、非塗装領域２８０ａ〜２８２ａという）、光の通過が許容されている。上述した発光体２５９から発せられた光はカバー部材２５７を介してシート材１７０の背面に到達する。かかる場合、発光体２５９からの光はカバー部材２５７によって規制される。すなわち、天壁２８０〜２８２の非塗装領域２８０ａ〜２８２ａを通過した光のみが、シート材１７０の背面に到達する。非塗装領域２８０ａ〜２８２ａは、所定の絵柄（本実施の形態においては水しぶきの絵柄）をなすように形成されている。このため、シート材１７０を介してパチンコ機１０の前方に射出される光は、非塗装領域２８０ａ〜２８２ａすなわち所定の絵柄と同様の形となる。すなわち、発光体２５９の点灯又は点滅時にシート材１７０の表面に所定の絵柄を明るく表示することが可能となり、消灯時との差異を表現することができる。本実施の形態においては特に、パチンコ機１０の正面視において、シート材１７０における非塗装領域２８０ａ〜２８２ａと重なる位置に、それら非塗装領域２８０ａ〜２８２ａ（所定の絵柄）と同様の輪郭を有する絵柄１７５が付与されている。このため、発光範囲の輪郭をより鮮明にし、発光しない部位との差異を明確にすることが可能となっている。具体的には、水しぶきの絵柄は白色で着色されており、その周辺の背景は青色で着色されている。このため、水しぶきの絵柄が発光することで、周囲の青色との差異を明確にし、発光時に水しぶきの絵柄を際立てることが可能となっている。
【０１３９】
再び図１８を用いて、発光体２５９から射出された光の伝わり方（移動経路）について説明する。発光体２５９から射出された光は、カバー部材２５７の張出部２７０に入射する。張出部２７０に入射した光のうち、張出部２７０の周壁２７７に向かう光はその周壁２７７によって吸収又は反射される。また、張出部２７０の天壁２８０に向かう光のうち非塗装領域２８０ａに到達した光のみがカバー部材２５７を通過しする。カバー部材２５７を通過した光はシート材１７０の背面に照射される。かかる場合、その照射範囲は非塗装領域２８０ａとほぼ同一の模様をなす。シート材１７０に至った光は、シート材１７０に付与された絵柄１７５の描画範囲でパチンコ機１０の前方に射出される。これにより、シート材１７０の絵柄１７５が発光する。
【０１４０】
図７を用いて、遊技球の流下経路について説明する。遊技球は、遊技球発射ハンドル４１が操作されることによって遊技盤８０の遊技領域に射出される。遊技領域に射出された遊技球は釘８８によって流下方向を変えながら可変表示ユニット８６の左側方を流下する。可変表示ユニット８６の側方を流下した遊技球の一部は誘導釘２９０によって作動口８４ａに導かれる。作動口８４ａに導かれた遊技球の一部は作動口８４ａに入賞し、その入賞を契機として主制御装置１６２により大当たりの判定が行われるとともに、図柄表示装置９１の図柄が変動表示される。
【０１４１】
また、可変表示ユニット８６の側方を流下する遊技球の一部は、スルーゲート８５を通過する。これらスルーゲート８５を通過した遊技球は誘導釘２９１（誘導通路２９３）によって作動口８４ｂに導かれる。誘導釘２９１によって誘導される遊技球は、誘導釘２９０によってその上方への移動が規制されており、作動口８４ｂへの移動が担保されやすくなっている。遊技球がスルーゲート８５を通過することで、主制御装置１６２による抽選が実施され、抽選に当選した場合、電動役物８９が所定時間の間開放される。かかる場合、少なくともスルーゲート８５を通過した遊技球は作動口８４ｂへ向かって移動しやすいため、電動役物８９が開放された際の、遊技者に対し遊技球の入賞への期待感を抱かせることが可能である。遊技球が作動口８４ｂに入賞することで、作動口８４ａと同様に大当たりの抽選等が行なわれる。
【０１４２】
誘導釘２９０等によって、可変表示ユニット８６を迂回して流下する遊技球を、遊技盤８０の中央付近へと誘導することができる。これにより、作動口８４ａ，８４ｂを遊技板８０の中央付近へと配置することが可能となっている。作動口８４ａ，８４ｂ及び可変表示ユニット８６を遊技盤８０の中央付近、すなわち遊技者の目の正面となる位置付近に集約することで、それら作動口８４ａ，８４ｂ等の視認性の向上に貢献している。
【０１４３】
なお、本実施の形態においては、可変表示ユニット８６の右側方には図示しない役物等が配置されているため、遊技球の流下経路が設定されていない。しかしながら、それら役物等の代わりに遊技球の流下経路を設定することも可能である。
【０１４４】
ここでパチンコ機１０の機種変更に伴う遊技盤８０等の互換性について説明する。パチンコ機１０の機種変更を行う際には、各機種で固有となる構成、例えば遊技盤８０等が新設される。シート材１７０は機種固有となる絵柄が付されているため、共用化は困難であるが、ベース部材８１等の各種構成は各機種間で共通化することが可能となっている。具体的には、上述の如くシート材１７０の発光部位に対応する開口部２８３等を誘導釘列２９０等に沿って広域に配置しているため、発光部位の配置自由度が向上されている。これにより、開口部２８３等をシート材の絵柄の変更に合わせて変更する必要性が低減されており、ベース部材８１の共通化を図りつつ、シート材の発光部位の変更に対応可能となっている。
【０１４５】
シート発光機構２５０に関しては、シート材１７０の発光部位の変更に対応して、カバー部材２５７，２５８が変更される。より具体的には、カバー部材２５７，２５８の塗装範囲の変更により非塗装領域２８０ａを変えることで、シート材の発光部位に合わせた光規制範囲の設定が可能となっている。すなわち、カバー部材２５７，２５８においは、その塗装範囲のみを変更することで各機種固有の発光部位への適応が可能となっており、部材そのものは共通のものが使用される。これにより、カバー部材２５７，２５８を含んだシート発光機構２５０全体の共通化が促進されている。
【０１４６】
次に、パチンコ機１０の電気的構成について、図１４のブロック図に基づいて説明する。図１４では、電力の供給ラインを二重線矢印で示し、信号ラインを実線矢印で示す。
【０１４７】
主制御装置１６２に設けられた主制御基板３０１には、主制御回路３０２と停電監視回路３０３とが内蔵されている。主制御回路３０２には、ＣＰＵ３１１が搭載されている。ＣＰＵ３１１には、当該ＣＰＵ３１１により実行される各種の制御プログラムや固定値データを記憶したＲＯＭ３１２と、そのＲＯＭ３１２内に記憶される制御プログラムの実行に際して各種のデータ等を一時的に記憶するためのメモリであるＲＡＭ３１３と、割込回路やタイマ回路、データ入出力回路などの各種回路が内蔵されている。
【０１４８】
ＲＡＭ３１３は、パチンコ機１０の電源の遮断後においても電源及び発射制御装置２４３に設けられた電源及び発射制御基板３２１からデータ記憶保持用電力が供給されてデータが保持される構成となっている。
【０１４９】
ＣＰＵ３１１には、アドレスバス及びデータバスで構成されるバスラインを介して入出力ポートが接続されている。主制御回路３０２の入力側には、主制御基板３０１に設けられた停電監視回路３０３、払出制御装置２４２に設けられた払出制御基板３２２及びその他図示しないスイッチ群などが接続されている。この場合に、停電監視回路３０３には電源及び発射制御基板３２１が接続されており、主制御回路３０２には停電監視回路３０３を介して電力が供給される。
【０１５０】
一方、主制御回路３０２の出力側には、停電監視回路３０３、払出制御基板３２２及び中継端子板３２３が接続されている。払出制御基板３２２には、賞球コマンドなどといった各種コマンドが出力される。中継端子板３２３を介して主制御回路３０２から音声ランプ制御装置１４３に設けられた音声ランプ制御基板３２４に対して各種コマンドなどが出力される。
【０１５１】
停電監視回路３０３は、主制御回路３０２と電源及び発射制御基板３２１とを中継し、また電源及び発射制御基板３２１から出力される最大電源である直流安定２４ボルトの電源を監視する。
【０１５２】
払出制御基板３２２は、払出装置２２４により賞球や貸し球の払出制御を行うものである。演算装置であるＣＰＵ３３１は、そのＣＰＵ３３１により実行される制御プログラムや固定値データ等を記憶したＲＯＭ３３２と、ワークメモリ等として使用されるＲＡＭ３３３とを備えている。
【０１５３】
払出制御基板３２２のＲＡＭ３３３は、主制御回路３０２のＲＡＭ３１３と同様に、パチンコ機１０の電源の遮断後においても電源及び発射制御基板３２１からデータ記憶保持用電力が供給されてデータが保持される構成となっている。
【０１５４】
払出制御基板３２２のＣＰＵ３３１には、アドレスバス及びデータバスで構成されるバスラインを介して入出力ポートが接続されている。払出制御基板３２２の入力側には、主制御回路３０２、電源及び発射制御基板３２１、及び裏パック基板２２９が接続されている。また、払出制御基板３２２の出力側には、主制御回路３０２及び裏パック基板２２９が接続されている。
【０１５５】
電源及び発射制御基板３２１は、電源部と発射制御部とを備えている。電源部は、二重線矢印で示す経路を通じて、主制御回路３０２や払出制御基板３２２等に対して各々に必要な動作電力を供給する。発射制御部は、遊技者による遊技球発射ハンドル４１の操作にしたがって遊技球発射機構１１０の発射制御を担うものであり、遊技球発射機構１１０は所定の発射条件が整っている場合に駆動される。
【０１５６】
音声ランプ制御基板３２４は、各種ランプ部２３〜２５やスピーカ部２６やシート発光機構２５０（発光体２５９）、及び表示制御装置３２５を制御するものである。演算装置であるＣＰＵ３４１は、そのＣＰＵ３４１により実行される制御プログラムや固定値データ等を記憶したＲＯＭ３４２と、ワークメモリ等として使用されるＲＡＭ３４３とを備えている。
【０１５７】
音声ランプ制御基板３２４のＣＰＵ３４１にはアドレスバス及びデータバスで構成されるバスラインを介して入出力ポートが接続されている。音声ランプ制御基板３２４の入力側には中継端子板３２３に中継されて主制御回路３０２が接続されており、主制御回路３０２から出力される各種コマンドに基づいて、各種ランプ部２３〜２５，スピーカ部２６，シート発光機構２５０（発光体２５９），及び表示制御装置３２５を制御する。表示制御装置３２５は、音声ランプ制御基板３２４から入力する表示コマンドに基づいて図柄表示装置９１を制御する。
【０１５８】
以上詳述した本実施の形態によれば、以下の優れた効果を奏する。
【０１５９】
図７等に示すように、シート発光機構２５０を遊技領域の後方に配置した。遊技領域は遊技球の流下経路を備えており、遊技者の注意が集まりやすい。遊技領域での発光演出を実施することで、発光演出を一層効果的なものとすることができる。例えば、遊技状況に応じて遊技球が移動すべき経路を示唆することで、遊技球の動きと発光演出とに関連性を付与することができる。
【０１６０】
上述の如く遊技領域における発光演出が可能であるため演出効果の向上が期待できる。しかしながらその反面、シート材１７０の発光に起因する遊技球（遊技領域内を流下中の遊技球）の視認性低下が懸念される。しかしながら、発光体２５９から射出された光は、シート材１７０及びカバー部材２５７，２５８を通過することで減ぜられ、パチンコ機１０の前方に射出される際には減光された状態となる。このため、過度の光量により遊技球が見づらくなるといった不都合を抑制することができる。故に、発光演出の広範囲化を図りつつ、それに起因する遊技性の低下を回避することが可能である。
【０１６１】
遊技領域には、可変表示ユニット８６等が配置されている。近年では可変表示ユニット８６が拡大される傾向にあり、本実施の形態における可変表示ユニット８６も大型のものを採用している。このため、遊技球の落下経路が空間的な制約を受けやすくなっている。本実施の形態においては、シート発光機構２５０をシート材１７０の後方に配置する構成とした。すなわち、シート発光機構２５０の遊技領域への張り出しが抑制されている（遊技領域の空間的な制約を低減している）。これにより、遊技領域における遊技球の流下経路の自由度を担保しつつ、シート発光機構２５０の配置自由度の向上に貢献している。
【０１６２】
図１８に示すように、発光体２５９からの光りは、開口部２８３〜２８８を介してパチンコ機１０の前方に射出される。このように開口部２８３〜２８８を設けることでシート発光機構２５０（発光体２５９等）の遊技領域への張り出しを回避しているが、その反面開口部２８３〜２８８の前方においてシート材１７０の変形が生じやすくなると想定される。しかしながら、開口部２８３〜２８８にカバー部材２５７，２５８を配置し、カバー部材２５７，２５８の張出部２７０〜２７６（詳しくは天壁２８０等）がシート材１７０の背面に接する構成とした。すなわち、シート材１７０のパチンコ機１０後方への変形（撓み）がカバー部材２５７，２５８によって抑えられた状態となっている。
【０１６３】
例えば、メンテナンス等の際にシート材１７０に負荷が加わったり、遊技球がシート材１７０に衝突したりしても、カバー部材２５７等によってシート材１７０の撓みが抑えられる。これにより、シート材１７０の変形（例えば塑性変形）を抑制することができる。シート材１７０の変形にともなってシート材１７０の絵柄１７５が歪み、シート材１７０（遊技盤８０）の意匠性が低下するといった不都合を回避することができる。また、シート材１７０の変形（例えば凹み）によって遊技球の正常な流下が妨げられるといった不都合を生じにくくすることができる。
【０１６４】
このように、シート材１７０の背面にカバー部材２５７，２５８が接する構成とした場合、シート材１７０の後方への変形は好適に抑制することができる反面、カバー部材２５７，２５８自身によってシート材１７０の変形が引き起こされるといった不都合が生じ得る。具体的には、カバー部材２５７，２５８によってシート材１７０がパチンコ機１０の前方に押される可能性がある。しかしながら、カバー部材２５７，２５８においては、ベースプレート２６５，２６６とベース部材８１とによって位置決めがなされる。すなわち、ベースプレート２６５，２６６が遊技盤８０（詳しくはベース部材８１）の背面に接触することで、カバー部材２５７，２５８の遊技盤８０に対しての位置決めがなされる。このように位置決めがなされた状態で、カバー部材２５７，２５８の張出部２７０〜２７６がシート材１７０の背面に接する構成となっている。仮に、カバー部材２５７，２５８（詳しくは集合板ユニット１５０）を装着する際に、作業者が過誤によりカバー部材２５７，２５８を強く押し込み過ぎたとしても、張出部２７０〜２７６がシート材１７０に強干渉するといった不都合を生じにくい。これにより、シート材１７０がパチンコ機１０の前方に張り出すといった不都合を抑制している。シート材１７０の張り出しを抑制することで、遊技球の正常な流下を担保することが可能となっている。
【０１６５】
以上のように、開口部２８３〜２８８の前方におけるシート材１７０の変形を抑制できるため、遊技盤８０の意匠性や遊技球の流下経路への影響を抑えつつ、開口部２８３〜２８８（シート発光機構２５０）の配置自由度を高めることが可能となっている。
【０１６６】
また、シート材１７０における開口部２８３〜２８８に対応する部分に貫通孔等を設け、それら貫通孔から張出部２７０〜２７６を露出させる（例えば天壁２８０の前面がシート材１７０の表面と同一平面となるように露出させる）構成も考えられる。しかしながら、本実施の形態においては上述の如く、シート材１７０に貫通孔等を設けることなく、シート材１７０の背面を光透過部材によって支える構成とした。このため、シート材１７０の絵柄の連続性を担保し、意匠性の保護に貢献することができる。また、シート材１７０の縁部（貫通孔等の開口縁部等）が露出しにくいため、それら縁部に埃等が付着したり、縁部を起点として捲れが生じたりするといった不都合を回避することも可能である。
【０１６７】
シート材１７０の前面（詳しくは樹脂板１７１の前面）は遊技球との接触面となっている。シート材１７０の絵柄１７５はシート材１７０の背面側に付与され、遊技球との接触等による絵柄１７５の摩耗を抑制しやすい構成となっている。かかる構成において、シート材１７０の絵柄１７５の背面側に開口部２８３〜２８８を配置した場合、カバー部材２５７，２５８と絵柄１７５とが局所的に集中して当たることでそれら絵柄１７５の摩耗が促進されるといった不都合が生じ得る。本実施の形態によれば、天壁２８０〜２８２がシート材１７０と平行、すなわち天壁２８０〜２８２がシート材１７０に対して突出する突起等を有さない構成となっている。このため、シート材１７０と天壁２８０〜２８２との接触箇所が集中し、シート材１７０に対する負荷が局所的に高まるといった不都合を抑えることができる。故に、シート材１７０（特に絵柄１７５）の保護を好適に行うことができる。
【０１６８】
結果として、絵柄１７５の背後に開口部２８３〜２８８を配置することで配置自由度を高めつつ、配置自由度の向上に伴って発生し得る遊技盤８０の意匠性の低下を好適に抑制することができる。
【０１６９】
発光体２５９から射出された光は、カバー部材２５７，２５８によってその広がりが抑えられた状態でシート材１７０の背面に照射される。これにより、シート材１７０の所望とする範囲での発光が可能となる。すなわち、光の広がりを抑え、所望とする範囲（絵柄１７５）での発光を行うことができる。このため、発光する部分と発光しない部分との境界を明確にし、インパクトのある発光演出が可能となる。
【０１７０】
カバー部材２５７，２５８の張出部２７０〜２７６（詳しくは天壁２８０〜２８２）がシート材１７０の背面に接しており、天壁２８０〜２８２におけるシート材１７０との接面に光の照射範囲を決定する塗装が施されることで非塗装領域２８０ａ〜２８２ａが形成されている。これにより、発光体２５９からの光がシート材１７０に到達するまでに広がるといった不都合を好適に抑制できる。故に、シート材１７０の発光模様（絵柄１７５）の輪郭を明確にすることが可能となっている。
【０１７１】
また、カバー部材２５７の天壁２８０〜２８２をシート材１７０の背面と平行としたため、部分的に光の広がりが大きくなるといった不都合を抑制することができる。故に、発光模様の輪郭の鮮明さを担保することが可能となる。
【０１７２】
シート発光機構２５０（カバー部材２５７，２５８及び基板２５１〜２５６）を集合板１８０に装着する構成とした。カバー部材や基板を複数備える構成とすることで、発光演出の広域化を図ることができる。しかしながらその反面、それらカバー部材や基板等の着脱作業が煩雑化すると懸念される。上述の如く集合板１８０にシート発光機構２５０を搭載し集合板ユニット１５０を構成することで、それらを一体化した状態で着脱できる。これにより、メンテナンス時等の作業性を担保することができる。故に、装飾効果及び発光演出効果の向上を図りつつ、それに起因する作業性の悪化を好適に抑制することができる。
【０１７３】
なお、上述した実施の形態の記載内容に限定されず、例えば次のように実施してもよい。
【０１７４】
（ａ）上記実施の形態では、図１８等に示すように、シート材１７０の後方に「光透過部材」としてのカバー部材２５７，２５８を配置した。このカバー部材２５７，２５８により、シート材１７０の変形を抑える構成とした。
【０１７５】
以下に光透過部材（カバー部材２５７，２５８）の変形例を示す。図２０の（ａ）〜（ｄ）は、図７のＡ−Ａ線端面図を元に光透過部材（カバー部材２５７）の変形例を概略化して示す概略図である。
【０１７６】
なお、カバー部材２５７及びカバー部材２５８は同様の構成を有する。また、カバー部材２５７の張出部２７０〜２７２及び開口部２８３〜２８８もそれぞれ同様の構成を有する。カバー部材２５７（張出部２７０）及び開口部２８３の変形例を詳細に説明するが、カバー部材２５７の張出部２７１，２７２及び開口部２８４，２８５と、カバー部材２５８（張出部２７３〜２７６）及び開口部２８６〜２８８とに、後述する変形例を適用してもよい。
【０１７７】
（ａ−１）上記実施の形態では、カバー部材２５７の張出部２７０が開口部２８３に対してクリアランスを有する構成としたが、これを変更し、張出部２７０と開口部２８３とがクリアランスを有さない構成としてもよい。換言すれば、張出部３４５の外周面（詳しくは周壁３４６の外周面）と開口部２８３の内周面とが接する構成としてもよい。かかる場合、図２０の（ａ）に示すように、天壁３４７が開口部２８３を塞ぐ構成とすることが望ましい。これにより、シート材１７０の変形を一層好適に抑制することができる。
【０１７８】
（ａ−２）上記実施の形態では、張出部２７０が周壁２７７及び天壁２８０を有する構成としたが、周壁２７７を有さない構成とすることも可能である。周壁２７７に代えて、天壁２８０を支持する支持部を天壁２８０とベースプレート２６５とに渡して設けるとよい。例えば図２０の（ｂ）に示すように、カバー部材３５０に、天壁３５１とその天壁３５１を支える柱状の支持部３５２とを設け、その支持部３５２によって天壁３５１とベースプレート３５３とを結合するとよい。
【０１７９】
また、周壁２７７を有さない場合、（ａ−１）に示したように天壁２８０は開口部２８３を塞ぐ構成とすることが望ましい。これにより、発光体２５９からの光がカバー部材２５７を介することなく、シート材１７０に到達するといった不都合を抑制することができる。
【０１８０】
（ａ―３）上記実施の形態では、天壁２８０をシート材１７０の背面と平行とした。詳しくは、天壁２８０の前面をシート材１７０の背面と平行な平面とした。これを以下のように変更してもよい。すなわち、天壁２８０の前面を曲面としてもよいし、凹凸面としてもよい。例えば、壁部３５５の前面をパチンコ機１０の後方に凹む凹状の曲面３５６とするとよい。かかる場合、壁部３５５の前面を、シート材１７０が撓んだ状態におけるその背面と同じように湾曲する曲面状とすることが望ましい。これにより、シート材１７０の変形時に、シート材１７０との接触面積を大きくし、局所当たりを抑制することができる。
【０１８１】
（ａ−４）上記実施の形態では、張出部２７０を中空状としたが、張出部２７０を中空状としなくてもよい（図２０の（ｃ）参照）。すなわち張出部３６０を塊状（ソリッド状）としてもよい。かかる場合、ベースプレート３６１の発光体２５９と対向する面は、非塗装面とすることが望ましい。
【０１８２】
（ａ−５）上記実施の形態では、シート材１７０の背面とカバー部材２５７の天壁２８０とが接する構成としたが、それらシート材１７０の背面とカバー部材２５７の天壁２８０とが所定のクリアランスを有する構成とすることも可能である。すなわち、カバー部材２５７及び遊技盤８０の製造ばらつきや両者の組み付けばらつきを許容する程度のクリアランスを、シート材１７０の背面とカバー部材２５７の天壁２８０と間に設定することも可能である。
【０１８３】
（ａ−６）上記実施の形態では、開口部２８３の内周面と周壁２７７の外周面との間に所定のクリアランスを設ける構成としたが、クリアランスを設けない構成とすることも可能である。遊技盤８０（詳しくはベース部材８１）に開口部２８３を形成することに伴い、遊技盤８０の剛性低下が懸念される。しかしながら、上述の如く、開口部２８３に周壁２７７（張出部２７０）を嵌め込む構成とすることで、遊技盤８０の補強を行うことができる。
【０１８４】
（ａ−７）上記実施の形態では、カバー部材２５７の張出部２７０にテーパ部２７０ａを設けたが、これを以下のように変更してもよい。すなわち、開口部２８３の後端部に、パチンコ機１０の後方に向かって開口外側に傾斜するテーパ部を設けてもよい。
【０１８５】
また、張出部２７０の一部にテーパ部２７０ａを設けたが、張出部２７０全体をテーパ状とすることも可能である。すなわち、図２０の（ｄ）に示すように、張出部３６５がパチンコ機１０の前方に向かって先細り状をなす構成とすることも可能である。開口部３６６も同様に、遊技機後方で開口が大きくなるテーパ状としてもよい。開口部３６６の内周面をテーパ状とすることで、張出部２６５のシート材１７０側への移動を一層好適に抑制することができる。
【０１８６】
（ｂ）上記実施の形態では、シート材１７０におけるカバー部材２５７の非塗装領域２８０ａ〜２８２ａと対応する部位に所定の絵柄１７５を設ける構成としたが、それら絵柄１７５を設けない構成とすることも可能である。このように絵柄１７５を設けない構成においては、発光体２５９が点灯又は点滅した際にのみ、シート材１７０に発光模様が表示される。これにより、演出効果の向上を図ることができる。なお、カバー部材２５８及びシート材１７０についても同様である。
【０１８７】
（ｃ）上記実施の形態では、塗装によってカバー部材２５７の光透過部（非塗装領域２８０ａ〜２８２ａ）と非光透過部とを形成したが、これを以下のように変更してもよい。例えば、メッキ処理によって光透過部と非光透過部とを形成してもよい。なお、カバー部材２５８についても同様にメッキ処理によって光透過部と非光透過部とを形成してもよい。
【０１８８】
（ｄ）上記実施の形態では、カバー部材２５７，２５８に光りを遮蔽する塗装を付与する構成としたが、塗装を付与しない構成としてもよい。すなわち、カバー部材２５７，２５８全体が光りを透過する構成としてもよい。
【０１８９】
また、カバー部材２５７，２５８（例えば張出部２７０〜２７６の内周面）に光を拡散する光拡散部を形成することも可能である。かかる場合、発光体２５９からの光がカバー部材２５７，２５８を通過することにより拡散される。これにより、光量の偏りを低減することができる。例えば、光拡散部としての凹凸面を設けるとよい。
【０１９０】
（ｅ）上記実施の形態では、シート発光機構２５０（開口部２８３〜２８８）を遊技盤８０の遊技領域にのみ設けたが、これを変更し、遊技盤８０における遊技領域以外の部位に設けることも可能である。
【０１９１】
（ｆ）上記実施の形態では、図１６に示すように、「発光手段」を構成する基板２５１〜２５６（発光体２５９）を集合板１８０の前方から取り付ける構成とした。これを以下のように変更してもよい。すなわち、図２１及び図２２に示すように、基板３７０〜３７５を集合板１８０の後方から取り付ける構成としてもよい。例えば、図２２に示すように、基板３７０を集合板１８０の後方からビス等の締結具によって固定するとよい。これにより、基板３７０（発光体２５９）のメンテナンスの際に、基板３７０のみを取り外すことができる。すなわち、遊技盤８０から集合板ユニット１５０を取り外す必要が無い。これにより、作業の煩雑化を抑制することができる。
【０１９２】
また、基板３７０を集合板１８０の後方から取り付ける構成とした場合、発光体２５９からの光が集合板１８０を通過する構成とすることが可能である。かかる場合、集合板１８０に光を拡散させる機能を付与することで、シート材１７０に到達する光の光量の偏りを抑えることができる。例えば、集合板１８０の光透過部分をレンズ状とするとよい。
【０１９３】
（ｇ）カバー部材２５７，２５８と発光体２５９との間に、光を拡散させる光拡散部材を設けることも可能である。例えば、光透過性を有する樹脂板の表面に複数の凹凸を形成してなるレンズ部材を、カバー部材２５７，２５８と発光体２５９との間に設けるとよい。
【０１９４】
また、カバー部材２５７，２５８の周壁２７７等の内周面に鏡面加工等の表面処理を施してもよい。これにより、発光体２５９から射出された光が張出部２７０〜２７６の内部にて周壁２７７に吸収され、光量が減少するといった不都合を抑制できる。故に、シート材１７０に到達する光の量を担保することができる。
【０１９５】
（ｈ）上記実施の形態では、シート材１７０はその全域で光が透過する構成としたが、これを変更し、ベース部材８１の開口部２８３〜２８８に対応する範囲でのみ光が透過する構成とすることも可能である。かかる場合であっても、シート材１７０の光透過部分と非光透過部分によって発光の模様が決定されるわけではなく、カバー部材２５７，２５８によって決定される。このため、シート材１７０の光透過部分が所定の模様（絵柄）を構成する必要がない。故に、シート材１７０の製造工程が複雑化するといった不都合を抑制することができる。
【０１９６】
（ｉ）上記実施の形態では、ベース部材８１を木製としたが、合成樹脂製としてもよい。かかる場合、遊技球の回収通路１５１等を一体成形することも可能である。例えば、ベース部材８１をＡＢＳ樹脂やポリカーボネート樹脂やアクリル樹脂等で成形するとよい。特に、ベース部材を光透過性を有する合成樹脂にて形成すると、発光演出を容易化や外観の美的向上に貢献できる。
【０１９７】
但し、光透過性を有する合成樹脂を用いてベース部材を形成した場合、上述の如く発光演出等が容易になる反面、釘８８等に当たった際の遊技球の動きが緩慢なものとなり（すなわち弾みにくくなり）、所定の位置、例えば作動口８４ａへ遊技球を集めることが困難となる。また、遊技球の動きを楽しむといったパチンコ機本来の面白みが損なわれることも懸念される。一方、本実施の形態に示すように、木製のベース部材８１に釘８８等を打つ構成であれば、遊技球の勢いは殺されにくく、例えば作動口８４ａ等へ遊技球を導いたりすることが容易となる反面、遊技盤８０自身が光を通しにくいため遊技盤８０（シート材１７０）での発光演出は困難なものとなる。
【０１９８】
上記実施の形態に示すように、光透過性を有さない木製のベース部材８１を用いる構成であっても、遊技盤８０での発光演出を容易に実現可能な構成とすれば、遊技球の動きを楽しむといった遊技機の本質を担保しつつ、演出の多様化を実現することが可能となる。すなわち、本発明を木製のベース部材に適応することで、その効果をより有益なものとすることができる。
【０１９９】
なお、ベース部材８１は一枚の木板やケナフ等の草材で形成してもよいし、それら木板やケナフ等の草材によって形成された複数の板よりなる合板で形成してもよい。
【０２００】
（ｊ）上記実施の形態では、集合板１８０及びシート発光機構２５０をユニット化して、遊技盤８０に取り付ける構成とした。これを以下のように変更してもよい。すなわち、集合板１８０とシート発光機構２５０とを別体とし、遊技盤８０にそれぞれ取り付ける構成としてもよい。
【０２０１】
（ｋ）上記実施の形態では、集合板１８０とカバー部材２５７，２５８とを別体としたが、これを変更し、両者を一体成形してもよい。但しかかる場合、上述の如く、基板２５１〜２５６は集合板１８０に対してパチンコ機１０の後方から取り付ける構成とすることが望ましい。
【０２０２】
また、カバー部材２５７，２５８の張出部２７０〜２７２，２７３〜２７６とベースプレート２６５，２６６とを一体成形したが、これらを別体で成形することも可能である。
【０２０３】
（ｌ）上記実施の形態では、発光体２５９を開口部２８３〜２８８の後方に配置したが、これを以下のように変更してもよい。例えば、発光体２５９を開口部２８３〜２８８の内側に配置（収容）してもよい。また、発光体２５９を開口部２８３〜２８８と前後方向で重ならない位置に配置してもよい。かかる場合、発光体２５９からの光を開口部２８３〜２８８に導く導光部材（光ファイバ等）や反射部材（反射鏡等）を用いるとよい。
【０２０４】
（ｍ）上記実施の形態では、各開口部２８３〜２８８の後方にそれぞれ複数の発光体２５９を配置する構成としたが、これを変更し、各開口部２８３〜２８８の後方にそれぞれ１つの発光体２５９を配置する構成とすることも可能である。
【０２０５】
（ｎ）上記実施の形態では、各カバー部材２５７，２５８がそれぞれ複数の基板２５１〜２５６（発光体２５９）を覆う構成としたが、これを変更し、１つのカバー部材で１つの基板を囲う構成としてもよい。また、１つのカバー部材で１つの発光体を覆う構成とすることも可能である。
【０２０６】
（ｏ）上記実施の形態では、遊技盤８０を構成するベース部材８１の背面にカバー部材２５７，２５８のベースプレート２６５，２６６が接触する構成としたが、これを以下のように変更してもよい。すなわち、ベース部材８１にパチンコ機１０の前方に凹む凹所を形成し、ベースプレート２６５，２６６が凹所の底部に接触する構成としてもよい。ベースプレート２６５，２６６が凹所に嵌まることで、遊技盤８０の後方への張り出しを低減することが可能となる。これにより、カバー部材２５７，２５８に起因して回収通路１５１等に生じる空間的な制約を低減し、回収通路１５１等の取り回しの自由度を向上することができる。
【０２０７】
（ｐ）上記実施の形態では、ベースプレート２６５，２６６が遊技盤８０の背面に接することで、カバー部材２５７，２５８のシート材１７０に対する位置が決まる構成とした。これを以下のように変更してもよい。すなわち、集合板１８０が遊技盤８０の背面に接することで、カバー部材２５７，２５８のシート材１７０に対する位置が決まる構成とすることも可能である。
【０２０８】
（ｑ）上記実施の形態では、遊技盤８０のベース部材８１の背面にカバー部材２５７，２５８を直接装着する構成としたが、これを以下のように変更してもよい。すなわち、カバー部材２５７，２５８を、ベース部材８１の背面に取り付けられた補強部材等の別部材を介してベース部材８１に装着する構成としてもよい。
【０２０９】
（ｒ）上記実施の形態では、シート材１７０の背面とカバー部材２５７，２５８の非塗装領域２８０ａとが接する構成とし、発光時のシート材１７０の発光対象絵柄の外縁を明確化した。これを以下のように変更してもよい。すなわち、シート材１７０の背面と非塗装領域との間に所定のクリアランスを設ける構成としてもよい。これにより、発光対象絵柄の外縁をぼやけた状態とすることができる。例えば、張出部２７０〜２７２の内周面を塗装し、天壁２８０〜２８２における裏パックユニット１５側の面に非塗装領域を設けるとよい。これにより、シート材１７０と天壁２８０〜２８２とを接触した状態としつつ、シート材１７０の背面と非塗装領域との間に所定のクリアランスを設定することができる。
【０２１０】
（ｓ）上記実施の形態では、シート材１７０に描かれた絵柄全体を発光させる構成としたが、これを変更し、絵柄の一部分のみを発光させる構成としてもよい。例えば、絵柄が有する複数の色のうち特定の色のみを、他の色との境界で区切って発光させてもよい。また、複数の鱗を有する魚の絵柄においては、その個々の鱗を発光させる構成としてもよい。
【０２１１】
（ｔ）上記実施の形態とは異なる他のタイプの弾球遊技機、例えば他の役物を備えたパチンコ機、アレンジボール機、雀球等の遊技機にも適用できる。
【符号の説明】
【０２１２】
１０…遊技機としてのパチンコ機、１１…外枠、８０…遊技盤、８１…ベース部材、１５０…集合板ユニット、１５１…回収通路、１７０…シート材、１７１…樹脂板、１７２…裏紙、１７３…接着層、１７４…インク塗布層、１７５…絵柄、１８０…集合板、２５０…シート発光機構、２５１〜２５６…基板、２５７，２５８…光透過部材としてのカバー部材、２５９…発光手段としての発光体、２６５，２６７…接触部としてのベースプレート、２７０〜２７６…張出部、２７０ａ〜２７６ａ…テーパ部、２７７〜２７９…周壁、２８０〜２８２…壁部としての天壁、２８０ａ〜２８２ａ…非光透過部としての非塗装領域、２８３〜２８８…開口部、２９０〜２９２…誘導釘、２９３，２９４…誘導通路、２９５〜２９７…誘導釘。
【図１】
2015107365.tif 000003
【図２】
2015107365.tif 000004
【図３】
2015107365.tif 000005
【図４】
2015107365.tif 000006
【図５】
2015107365.tif 000007
【図６】
2015107365.tif 000008
【図７】
2015107365.tif 000009
【図８】
2015107365.tif 000010
【図９】
2015107365.tif 000011
【図１０】
2015107365.tif 000012
【図１１】
2015107365.tif 000013
【図１２】
2015107365.tif 000014
【図１３】
2015107365.tif 000015
【図１４】
2015107365.tif 000016
【図１５】
2015107365.tif 000017
【図１６】
2015107365.tif 000018
【図１７】
2015107365.tif 000019
【図１８】
2015107365.tif 000020
【図１９】
2015107365.tif 000021
【図２０】
2015107365.tif 000022
【図２１】
2015107365.tif 000023
【図２２】
2015107365.tif 000024